(57)【特許請求の範囲】
【請求項１】
1次セル（PCell）および2次セル（SCell）を提供するアクセスポイントを含み、通信媒体において1つまたは複数のアクセス端末と通信するシステムにおける通信の方法であって、前記方法は、前記アクセスポイントにおいて、
第1のコンポーネントキャリア上で前記PCellを経由して前記通信媒体を介してデータおよび制御シグナリングを交換するステップと、
第2のコンポーネントキャリア上で前記SCellを経由して前記通信媒体を介してデータシグナリングを交換するステップと、
負荷分散条件またはチャネル選択条件に基づいて、1つまたは複数のアクセス端末に関して、前記SCellを前記PCellとして、前記PCellを前記SCellとして再構成するステップとを含み、
前記再構成するステップが、
前記第1のコンポーネントキャリアを経由してハンドオーバコマンドを送るステップと、
前記第2のコンポーネントキャリアを経由してハンドオーバ確認を受信するステップと、
PCell動作を前記第2のコンポーネントキャリアに切り替えるステップと
を含む、方法。
【請求項２】
前記再構成するステップが、前記再構成されたPCellを第3のコンポーネントキャリアに切り替えるステップを含む、請求項1に記載の方法。
【請求項３】
前記再構成するステップが、
前記第1のコンポーネントキャリアを経由してハンドオーバコマンドを送るステップと、
前記第2のコンポーネントキャリアを経由してハンドオーバ確認を受信するステップと、
PCell動作を前記第2のコンポーネントキャリアに切り替えるステップと、
前記第2のコンポーネントキャリアを経由してハンドオーバコマンドを送るステップと、
前記第3のコンポーネントキャリアを経由してハンドオーバ確認を受信するステップと、
PCell動作を前記第3のコンポーネントキャリアに切り替えるステップと
を含む、請求項2に記載の方法。
【請求項４】
前記再構成するステップが、
前記ハンドオーバ確認の前記受信に応じて、前記第1のコンポーネントキャリアを無効にするステップと、
前記第1のコンポーネントキャリアが前記無効であることに応じて、前記第3のコンポーネントキャリアを占有するステップと
をさらに含む、請求項3に記載の方法。
【請求項５】
しきい値を上回る、前記第1のコンポーネントキャリアと1つまたは複数の他のコンポーネントキャリアとの間のトラフィック不均衡に基づいて前記負荷分散条件を決定するステップと、
前記決定に応じて、前記再構成をトリガするステップと
をさらに含む、請求項1に記載の方法。
【請求項６】
しきい値を上回る、前記第1のコンポーネントキャリアと1つまたは複数の他のコンポーネントキャリアとの間の信号品質不均衡に基づいて前記チャネル選択条件を決定するステップと、
前記決定に応じて、前記再構成をトリガするステップと
をさらに含む、請求項1に記載の方法。
【請求項７】
ターゲットPCellの有利になるようにセル再選択にバイアスをかけるために、1つまたは複数のセル再選択パラメータを調整するステップと、
前記ターゲットPCellのセル再選択をトリガするために、前記1つまたは複数の調整されたセル再選択パラメータをアイドルモードのアクセス端末にシグナリングするステップと  をさらに含む、請求項1に記載の方法。
【請求項８】
請求項1から7のいずれかの項に記載の方法を実行する手段を備えた通信装置。
【請求項９】
第1のコンポーネントキャリア上でアクセスポイントによって提供される1次セル(PCell)を経由して通信媒体を介してデータおよび制御シグナリングを交換し、第2のコンポーネントキャリア上で前記アクセスポイントによって提供される2次セル(SCell)を経由して前記通信媒体を介してデータシグナリングを交換するように構成されたトランシーバと、
少なくとも1つのプロセッサと、
前記少なくとも1つのプロセッサに結合された、少なくとも1つのメモリとを含み、前記少なくとも1つのプロセッサおよび前記少なくとも1つのメモリが、負荷分散条件またはチャネル選択条件に基づいて、1つまたは複数のアクセス端末に関して、前記SCellを前記PCellとして、前記PCellを前記SCellとして再構成するように前記トランシーバに指示するように構成される、請求項8に記載の通信装置。
【請求項１０】
プロセッサによって実行されると、前記プロセッサに、通信のための動作を実行させるコードを含む、コンピュータ可読記録媒体であって、請求項1から7のいずれかの項に記載の方法を実行させるコードを含む、コンピュータ可読記録媒体。
【発明の詳細な説明】
【技術分野】
【０００１】
関連出願の相互参照
本特許出願は、本出願の譲受人に譲渡され、その全体が参照により本明細書に明確に組み込まれている、2014年11月13日に出願した「STANDALONE CARRIER SENSE ADAPTIVE TRANSMISSION (CSAT) IN UNLICENSED SPECTRUM」という表題のPCT出願第PCT/CN2014/090973号の利益を主張するものである。
【０００２】
本開示の態様は、一般に、電気通信に関し、より詳細には、ワイヤレス無線アクセス技術(RAT)などの間の共存に関する。
【背景技術】
【０００３】
音声、データ、マルチメディアなどのような様々なタイプの通信コンテンツを提供するために、ワイヤレス通信システムが広く展開されている。通常のワイヤレス通信システムは、利用可能なシステムリソース(たとえば、帯域幅、送信出力など)を共有することによって、複数のユーザとの通信をサポートすることが可能な多元接続システムである。そのような多元接続システムの例は、符号分割多元接続(CDMA)システム、時分割多元接続(TDMA)システム、周波数分割多元接続(FDMA)システム、直交周波数分割多元接続(OFDMA)システムなどを含む。これらのシステムは、第3世代パートナーシッププロジェクト(3GPP)によって提供されるロングタームエボリューション(LTE:Long Term Evolution)、第3世代パートナーシッププロジェクト2(3GPP2)によって提供されるウルトラモバイルブロードバンド(UMB:Ultra Mobile Broadband)およびエボリューションデータオプティマイズド(EV-DO:Evolution Data Optimized)、米国電気電子技術者協会(IEEE:Institute of Electrical and Electronics Engineers)によって提供される802.11などのような規格に適合して展開されることが多い。
【０００４】
セルラーネットワークでは、「マクロセル」アクセスポイントは、ある地理的エリアにわたって多数のユーザに接続およびカバレージを提供する。その地理的領域にわたって良好なカバレージを提供するために、マクロネットワーク展開が慎重に計画され、設計され、実装される。住宅およびオフィスビルのような、屋内のカバレージまたは他の特定の地理的なカバレージを改善するために、最近では、通常は低出力のアクセスポイントである追加の「スモールセル」が、従来のマクロネットワークを補完するために展開され始めている。スモールセルアクセスポイントは、さらなる容量の増大、より豊かなユーザ体験などを提供することもできる。
【０００５】
最近では、スモールセルLTE動作は、たとえば、ワイヤレスローカルエリアネットワーク(WLAN)技術によって使用されるUnlicensed National Information Infrastructure(U-NII)帯域のような、無認可周波数スペクトルへと拡張されている。スモールセルLTE動作のこの拡張は、LTEシステムのスペクトル効率を、したがって容量を向上させるように設計される。しかしながら、これは、通常は同じ無認可帯域を利用する他の無線アクセス技術(RAT)、特に「Wi-Fi」と一般に呼ばれるIEEE 802.11x WLAN技術の動作に影響を与えることもある。
【発明の概要】
【課題を解決するための手段】
【０００６】
以下の概要は、本開示の様々な態様の説明を助けるためにのみ提示され、態様の例示のためにのみ提供されており、態様を限定するためのものではない大要である。
【０００７】
一例では、通信の方法が開示される。この方法は、たとえば、第1の無線アクセス技術(RAT)および対応する無線フレーム構造に従って、通信媒体を介して、第1の信号を送信するための第1のサブフレームおよび第2の信号を送信するための第2のサブフレームを定義する無線フレーム構造の各無線フレームを通信するステップと、第1のRATに関する通信のアクティブ期間および非アクティブ期間を定義する間欠送信(DTX)通信パターンの少なくとも1つのアクティブ期間中に1つまたは複数の無線フレームの第1のサブフレーム中で第1の信号を、第2のサブフレーム中で2の信号を送信するステップと、DTX通信パターンの少なくとも1つの非アクティブ期間中に1つまたは複数の無線フレームの第1のサブフレーム中で第1の信号を送信し、第2のサブフレーム中で第2の信号を削除する(omitting)ステップとを含み得る。
【０００８】
別の例では、通信装置が開示される。この装置は、たとえば、トランシーバと、少なくとも1つのプロセッサと、少なくとも1つのプロセッサに結合された少なくとも1つのメモリとを含み得る。トランシーバは、第1のRATおよび対応する無線フレーム構造に従って、通信媒体を介して、第1の信号を送信するための第1のサブフレームおよび第2の信号を送信するための第2のサブフレームを定義する無線フレーム構造の各無線フレームを通信するように構成され得る。少なくとも1つのプロセッサおよび少なくとも1つのメモリは、第1のRATに関する通信のアクティブ期間および非アクティブ期間を定義するDTX通信パターンの少なくとも1つのアクティブ期間中に1つまたは複数の無線フレームの第1のサブフレーム中で第1の信号を、第2のサブフレーム中で第2の信号を送信し、DTX通信パターンの少なくとも1つの非アクティブ期間中に1つまたは複数の無線フレームの第1のサブフレーム中で第1の信号を送信し、第2のサブフレーム中で第2の信号を削除するようにトランシーバに指示するように構成され得る。
【０００９】
別の例では、通信装置が開示される。この装置は、たとえば、第1のRATおよび対応する無線フレーム構造に従って、通信媒体を介して、第1の信号を送信するための第1のサブフレームおよび第2の信号を送信するための第2のサブフレームを定義する無線フレーム構造の各無線フレームを通信するための手段と、第1のRATに関する通信のアクティブ期間および非アクティブ期間を定義するDTX通信パターンの少なくとも1つのアクティブ期間中に1つまたは複数の無線フレームの第1のサブフレーム中で第1の信号を、第2のサブフレーム中で第2の信号を送信するための手段と、DTX通信パターンの少なくとも1つの非アクティブ期間中に1つまたは複数の無線フレームの第1のサブフレーム中で第1の信号を送信し、第2のサブフレーム中で第2の信号を削除するための手段とを含み得る。
【００１０】
別の例では、プロセッサによって実行されると、プロセッサに、通信するための動作を実行させるコードを含む、一時的または非一時的コンピュータ可読媒体が開示される。このコンピュータ可読媒体は、たとえば、第1のRATおよび対応する無線フレーム構造に従って、通信媒体を介して、第1の信号を送信するための第1のサブフレームおよび第2の信号を送信するための第2のサブフレームを定義する無線フレーム構造の各無線フレームを通信するためのコードと、第1のRATに関する通信のアクティブ期間および非アクティブ期間を定義するDTX通信パターンの少なくとも1つのアクティブ期間中に1つまたは複数の無線フレームの第1のサブフレーム中で第1の信号を、第2のサブフレーム中で第2の信号を送信するためのコードと、DTX通信パターンの少なくとも1つの非アクティブ期間中に1つまたは複数の無線フレームの第1のサブフレーム中で第1の信号を送信し、第2のサブフレーム中で第2の信号を削除するためのコードとを含み得る。
【００１１】
別の例では、通信の方法が開示される。この方法は、たとえば、第1のRATに従って通信媒体を介して通信のアクティブ期間および非アクティブ期間を定義するDTX通信パターンのアクティブ期間中に1つまたは複数のパケットの再送信要求を受信するステップと、1つまたは複数のパケットを再送信するための同期アップリンクハイブリッド自動再送要求(HARQ)のための再送信機会のセットを決定するステップと、DTX通信パターンに基づいて、再送信機会のすべてに満たないサブセットを介して1つまたは複数のパケットを再送信するステップとを含み得る。
【００１２】
別の例では、通信装置が開示される。この装置は、たとえば、トランシーバと、少なくとも1つのプロセッサと、少なくとも1つのプロセッサに結合された少なくとも1つのメモリとを含み得る。トランシーバは、第1のRATに従って通信媒体を介しての通信のアクティブ期間および非アクティブ期間を定義するDTX通信パターンのアクティブ期間中に1つまたは複数のパケットの再送信要求を受信するように構成され得る。少なくとも1つのプロセッサおよび少なくとも1つのメモリは、1つまたは複数のパケットを再送信するための同期アップリンクHARQ再送信スケジュールのための再送信機会のセットを決定し、DTX通信パターンに基づいて、再送信機会のすべてに満たないサブセットを介して1つまたは複数のパケットを再送信するようにトランシーバに指示するように構成され得る。
【００１３】
別の例では、通信装置が開示される。この装置は、たとえば、第1のRATに従って通信媒体を介して通信のアクティブ期間および非アクティブ期間を定義するDTX通信パターンのアクティブ期間中に1つまたは複数のパケットの再送信要求を受信するための手段と、1つまたは複数のパケットを再送信するための同期アップリンクハイブリッド自動再送要求(HARQ)のための再送信機会のセットを決定する手段と、DTX通信パターンに基づいて、再送信機会のすべてに満たないサブセットを介して1つまたは複数のパケットを再送信するための手段とを含み得る。
【００１４】
別の例では、プロセッサによって実行されると、プロセッサに、通信するための動作を実行させるコードを含む、一時的または非一時的コンピュータ可読媒体が開示される。このコンピュータ可読媒体は、たとえば、第1のRATに従って通信媒体を介して通信のアクティブ期間および非アクティブ期間を定義するDTX通信パターンのアクティブ期間中に1つまたは複数のパケットの再送信要求を受信するためのコードと、1つまたは複数のパケットを再送信するための同期アップリンクHARQ再送信スケジュールのための再送信機会のセットを決定するためのコードと、DTX通信パターンに基づいて、再送信機会のすべてに満たないサブセットを介して1つまたは複数のパケットを再送信するためのコードとを含み得る。
【００１５】
別の例では、通信の方法が開示される。この方法は、たとえば、第1のコンポーネントキャリア上でアクセスポイントによって提供される1次セル(PCell)を経由して通信媒体を介してデータおよび制御シグナリングを交換ステップと、第2のコンポーネントキャリア上でアクセスポイントによって提供される2次セル(SCell)を経由して通信媒体を介してデータシグナリングを交換するステップと、負荷分散状態またはチャネル選択状態に基づいて、1つまたは複数のアクセス端末に関して、SCellをPCellとして、PCellをSCellとして再構成するステップとを含み得る。
【００１６】
別の例では、通信装置が開示される。この装置は、たとえば、トランシーバと、少なくとも1つのプロセッサと、少なくとも1つのプロセッサに結合された少なくとも1つのメモリとを含み得る。トランシーバは、第1のコンポーネントキャリア上でアクセスポイントによって提供されるPCellを経由して通信媒体を介してデータおよび/または制御シグナリングを交換し、第2のコンポーネントキャリア上でアクセスポイントによって提供されるSCellを経由して通信媒体を介してデータシグナリングを交換するように構成され得る。少なくとも1つのプロセッサおよび少なくとも1つのメモリは、負荷分散状態またはチャネル選択状態に基づいて、1つまたは複数のアクセス端末に関して、SCellをPCellとして、PCellをSCellとして再構成するようにトランシーバに指示するように構成され得る。
【００１７】
別の例では、通信装置が開示される。この装置は、たとえば、第1のコンポーネントキャリア上でアクセスポイントによって提供されるPCellを経由して通信媒体を介してデータおよび制御シグナリングを交換するための手段と、第2のコンポーネントキャリア上でアクセスポイントによって提供されるSCellを経由して通信媒体を介してデータシグナリングを交換するための手段と、負荷分散状態またはチャネル選択状態に基づいて、1つまたは複数のアクセス端末に関して、SCellをPCellとして、PCellをSCellとして再構成するための手段とを含み得る。
【００１８】
別の例では、プロセッサによって実行されると、プロセッサに、通信するための動作を実行させるコードを含む、一時的または非一時的コンピュータ可読媒体が開示される。このコンピュータ可読媒体は、たとえば、第1のコンポーネントキャリア上でアクセスポイントによって提供されるPCellを経由して通信媒体を介してデータおよび制御シグナリングを交換するためのコードと、第2のコンポーネントキャリア上でアクセスポイントによって提供されるSCellを経由して通信媒体を介してデータシグナリングを交換するためのコードと、負荷分散状態またはチャネル選択状態に基づいて、1つまたは複数のアクセス端末に関して、SCellをPCellとして、PCellをSCellとして再構成するためのコードとを含み得る。
【００１９】
添付の図面は、本開示の様々な態様の説明を助けるために提示され、態様の例示のためにのみ提供されており、各態様を限定するためのものではない。
【図面の簡単な説明】
【００２０】
【図１】アクセス端末(AT)と通信しているアクセスポイント(AP)を含む例示的なワイヤレス通信システムを示す図である。
【図２】例示的な長期間欠送信(DTX)通信方式のいくつかの態様を示す図である。
【図３】制御シグナリングを協調させるためにオールモストブランク無線フレーム(ABRF)を利用するPCellに関する例示的なDTX通信方式を示す図である。
【図４】DTXパラメータ情報を伝えるように適合された例示的なマスタ情報ブロック(MIB)を示す図である。
【図５】DTXパラメータ情報を伝えるように適合された例示的なダウンリンク制御情報(DCI)メッセージを示す図である。
【図６】DTX通信方式におけるシステム獲得を示すシグナリングフロー図である。
【図７】DTX通信方式において使用するように適合された例示的なページング構造を示すタイミング図である。
【図８】DTX通信方式とともに使用するように適合され得る例示的なランダムアクセス手順を示すシグナリング流れ図である。
【図９】DTX通信方式を用いた動作のための、図8のランダムアクセス手順の例示的な適合を示すタイミング図である。
【図１０】DTX通信方式を用いた動作のためのアップリンク(UL)ハイブリッド自動再送要求(HARQ)の適合を示すタイミング図である。
【図１１】例示的な間欠受信(DRX)通信モードを示す図である。
【図１２】DTX通信方式において使用するように適合された例示的なDRX構造を示すタイミング図である。
【図１３】DTX通信方式において使用するように適合された例示的なDRX構造を示す別のタイミング図である。
【図１４】干渉を機会主義的に低減するためのダウンリンク(DL)ライト構成を利用するPCellに関する例示的なDTX通信方式を示す図である。
【図１５】アクセス端末の既存のコンポーネントキャリア間で接続モードのアクセス端末のPCellを切り替えるための例示的な1次セル(PCell)スワップ手順を示すシグナリング流れ図である。
【図１６】接続モードのアクセス端末のPCellをアクセス端末の既存のコンポーネントキャリアのうちの1つから新しいコンポーネントキャリアに切り替えるための例示的なPCell追加手順を示すシグナリング流れ図である。
【図１７】上で説明した技法による例示的な通信方法を示す流れ図である。
【図１８】上で説明した技法による別の例示的な通信方法を示す流れ図である。
【図１９】上で説明した技法による別の例示的な通信方法を示す流れ図である。
【図２０】上で説明した技法による別の例示的な通信方法を示す流れ図である。
【図２１】上で説明した技法による別の例示的な通信方法を示す流れ図である。
【図２２】上で説明した技法による別の例示的な通信方法を示す流れ図である。
【図２３】上で説明した技法による別の例示的な通信方法を示す流れ図である。
【図２４】上で説明した技法による別の例示的な通信方法を示す流れ図である。
【図２５】上で説明した技法による別の例示的な通信方法を示す流れ図である。
【図２６】上で説明した技法による別の例示的な通信方法を示す流れ図である。
【図２７】一連の相互に関係する機能モジュールとして表される例示的なアクセスポイント装置を示す図である。
【図２８】一連の相互に関係する機能モジュールとして表される例示的なアクセスポイント装置を示す図である。
【図２９】一連の相互に関係する機能モジュールとして表される例示的なアクセス端末装置を示す図である。
【図３０】一連の相互に関係する機能モジュールとして表される例示的なアクセスポイント装置を示す図である。
【図３１】一連の相互に関係する機能モジュールとして表される例示的なアクセスポイント装置を示す図である。
【図３２】一連の相互に関係する機能モジュールとして表される例示的なアクセス端末装置を示す図である。
【図３３】一連の相互に関係する機能モジュールとして表される例示的なアクセス端末装置を示す図である。
【図３４】一連の相互に関係する機能モジュールとして表される例示的なアクセスポイント装置を示す図である。
【図３５】一連の相互に関係する機能モジュールとして表される例示的なアクセスポイント装置を示す図である。
【図３６】一連の相互に関係する機能モジュールとして表される例示的なアクセス端末装置を示す図である。
【発明を実施するための形態】
【００２１】
本開示は、一般に、本明細書で間欠送信(DTX)と呼ばれる共存技法に関するスタンドアロン(SA)設計に関する。SA動作に関して、DTX通信方式による、制御シグナリング、アクセス端末同期化、チャネル選択、ページング、ランダムアクセス、干渉管理、再送信、間欠受信、セルの遷移などの態様を促進する様々な技法について下で詳細に説明する。
【００２２】
本開示のより具体的な態様は、例示のために提供される様々な例に関する次の説明および関連図面において提供される。本開示の範囲から逸脱することなく、代替の態様が考案され得る。加えて、さらに関連性のある詳細を不明瞭にしないように、本開示のよく知られている態様は詳細に説明されないことがあり、または省略されることがある。
【００２３】
下記で説明する情報および信号は、多種多様な異なる技術および技法のいずれかを使用して表され得ることを当業者は諒解されよう。たとえば、下記の説明全体を通して参照され得るデータ、命令、コマンド、情報、信号、ビット、シンボル、およびチップは、部分的に特定の適用例、部分的に所望の設計、部分的に対応する技術などに応じて、電圧、電流、電磁波、磁場もしくは磁性粒子、光場もしくは光粒子、またはそれらの任意の組合せによって表され得る。
【００２４】
さらに、多くの態様について、たとえば、コンピュータデバイスの要素によって実行されるべき一連のアクションに関して説明する。本明細書で説明する様々なアクションは、特定の回路(たとえば、特定用途向け集積回路(ASIC))によって実行することも、1つまたは複数のプロセッサによって実行されるプログラム命令によって実行することも、またはその両方の組合せによって実行することも可能であることが認識されよう。さらに、本明細書で説明する態様の各々に対して、任意のそのような態様の対応する形は、たとえば、説明するアクションを実行する「ように構成された論理」として実装され得る。
【００２５】
図1は、アクセス端末(AT)と通信しているアクセスポイント(AP)を含む例示的なワイヤレス通信システムを示す。別段述べられない限り、「アクセス端末」および「アクセスポイント」という用語は、任意の特定の無線アクセス技術(RAT)に特有であることまたはそれに限定されることは意図されない。一般に、アクセス端末は、ユーザが通信ネットワークを介して通信することを可能にする任意のワイヤレス通信デバイス(たとえば、モバイルフォン、ルータ、パーソナルコンピュータ、サーバ、エンターテインメントデバイス、モノのインターネット(IOT)/あらゆるもののインターネット(IOE)対応デバイス、車載通信デバイスなど)であり得、様々なRAT環境ではユーザデバイス(UD)、移動局(MS)、加入者局(STA)、ユーザ機器(UE)などと代替的に呼ばれることがある。同様に、アクセスポイントは、アクセスポイントが展開されるネットワークに応じて、アクセス端末と通信している1つまたはいくつかのRATに従って動作することができ、基地局(BS)、ネットワークノード、NodeB、発展型NodeB(eNB)などと代替的に呼ばれることがある。そのようなアクセスポイントは、たとえば、スモールセルアクセスポイントに対応し得る。「スモールセル」は全般に、フェムトセル、ピコセル、マイクロセル、Wi-Fi AP、他の小カバレージエリアAPなどを含み得る、またはそうでなくそのように呼ばれ得る、低出力のアクセスポイントの分類を指す。マクロセルカバレージを補完するためにスモールセルが展開されることがあり、近隣内の数ブロックまたは農村環境における数平方マイルがカバーされ、それによってシグナリングの改善、さらなる容量の増大、より豊かなユーザ体験などが実現し得る。
【００２６】
図1の例では、アクセスポイント110およびアクセス端末120は、各々一般に、少なくとも1つの指定されたRATを経由して他のネットワークノードと通信するための(通信デバイス112および122によって表される)ワイヤレス通信デバイスを含む。通信デバイス112および122は、指定されたRATに従って、信号(たとえば、メッセージ、表示、情報など)を送信および符号化するように、また逆に、信号(たとえば、メッセージ、表示、情報、パイロットなど)を受信および復号するように様々に構成され得る。アクセスポイント110およびアクセス端末120はまた、それぞれ一般に、それらのそれぞれの通信デバイス112および122の動作を制御する(たとえば、指示する、変更する、有効化する、無効化する、など)ための(通信コントローラ114および124によって表される)通信コントローラを含むことができる。通信コントローラ114および124は、(処理システム116および126ならびにメモリ構成要素118および128として示される)それぞれのホストシステム機能の指示により、またはさもなければそれぞれのホストシステム機能とともに、動作することができる。いくつかの設計では、通信コントローラ114および124は、それぞれのホストシステム機能によって部分的にまたは完全に包含され得る。
【００２７】
示された通信をより詳細に見ると、アクセス端末120は、ワイヤレスリンク130を経由してアクセスポイント110とメッセージの送受信を行うことができ、メッセージは様々なタイプの通信に関する情報(たとえば、音声、データ、マルチメディアサービス、関連する制御シグナリングなど)を含む。ワイヤレスリンク130は、それぞれのコンポーネントキャリア(それぞれの周波数)上で1次セル(PCell)および2次セル(SCell)を含めて、セルの一部として動作することができる。ワイヤレスリンク130は、他の通信ならびに他のRATと共有され得る、図1において例として通信媒体132として示されるコンポーネントキャリアを含む所定の通信媒体を介して動作することができる。このタイプの媒体は、通信媒体132の場合のアクセスポイント110およびアクセス端末120など、1つまたは複数の送信機/受信機の対間の通信と関連付けられる(たとえば、1つまたは複数のキャリアにわたる1つまたは複数のチャネルを網羅する)1つまたは複数の周波数、時間、および/または空間通信リソースから成り得る。
【００２８】
一例として、通信媒体132は、他のRATと共有される無認可周波数帯域の少なくとも一部に対応し得る。一般に、アクセスポイント110およびアクセス端末120は、それらが展開されるネットワークに応じて1つまたは複数のRATに従って、ワイヤレスリンク130を経由して動作することができる。これらのネットワークは、たとえば、符号分割多元接続(CDMA)ネットワーク、時分割多元接続(TDMA)ネットワーク、周波数分割多元接続(FDMA)ネットワーク、直交FDMA(OFDMA)ネットワーク、およびシングルキャリアFDMA(SC-FDMA)ネットワークなどの様々な変形態を含むことができる。様々な認可された周波数帯域が(たとえば、米国の連邦通信委員会(FCC)などの政府機関によって)そのような通信のために確保されているが、いくつかの通信ネットワーク、特にスモールセルアクセスポイントを採用している通信ネットワークは、ワイヤレスローカルエリアネットワーク(WLAN)技術、特に「Wi-Fi」と一般に呼ばれるIEEE 802.11x WLAN技術によって使用されるUnlicensed National Information Infrastructure(U-NII)帯域のような無認可周波数帯域へと動作を拡張させている。
【００２９】
図1の例では、アクセスポイント110の通信デバイス112は、あるRATに従って動作するように構成された1次RATトランシーバ140および別のRATに従って動作するように構成された2次RATトランシーバ142を含む、それぞれのRATに従って動作する2つのコロケートされたトランシーバを含む。本明細書で使用される場合、「トランシーバ」は、送信機回路、受信機回路、またはそれらの組合せを含むことができるが、すべての設計において送信と受信の両方の機能を提供する必要はない。たとえば、いくつかの設計において、完全な通信を実現することが必要とされないときに、コストを低減するために低機能受信機回路が採用され得る(たとえば、Wi-Fiチップまたは単に低レベルスニッフィングを提供する同様の回路)。さらに、本明細書で使用される場合、「コロケートされた」(たとえば、無線装置、アクセスポイント、トランシーバなど)という用語は、様々な構成のうちの1つを指し得る。たとえば、同じ筐体の中にある構成要素、同じプロセッサによってホストされる構成要素、互いに定められた距離内にある構成要素、および/または任意の要求される構成要素間通信(たとえば、メッセージング)のレイテンシ要件を満たすインターフェース(たとえば、イーサネット（登録商標）スイッチ)を経由して接続される構成要素。
【００３０】
1次RATトランシーバ140および2次RATトランシーバ142は、異なる機能を提供することができ、異なる目的に使用され得る。一例として、1次RATトランシーバ140は、ワイヤレスリンク130上でのアクセス端末120との通信を実現するようにLong Term Evolution(LTE)技術に従って動作することができ、2次RATトランシーバ142は、LTE通信に干渉する可能性またはLTE通信によって干渉される可能性がある通信媒体132上のWi-Fiシグナリングを監視するようにWi-Fi技術に従って動作することができる。2次RATトランシーバ142は、対応するベーシックサービスセット(BSS)に通信サービスを提供するフルWi-Fi APとして働いてもよく、あるいは働かなくてもよい。アクセス端末120の通信デバイス122は、いくつかの設計では、図1に1次RATトランシーバ150および2次RATトランシーバ152として示すように、同様の1次RATトランシーバおよび/または2次RATトランシーバ機能を含んでもよいが、そのような二重のトランシーバ機能は必要でないこともある。
【００３１】
以下で図2〜図16を参照しながらより詳細に説明するように、アクセスポイント110の通信コントローラ114は、様々な設計において、媒体利用アナライザ144、1次セル(PCell)マネージャ146、および/または2次セル(SCell)マネージャ148を含むことができ、これらは、通信媒体132上の動作を管理するように、1次RATトランシーバ140および/または2次RATトランシーバ142とともに動作することができる。さらに、または代替的に、アクセス端末120の通信コントローラ124は、例として、様々な設計において、媒体利用アナライザ154、一次セル(PCell)マネージャ156、および/または2次セル(SCell)マネージャ158を含むとして示される同様のまたは補完的な構成要素を含むことができ、これらは、通信媒体132上の動作を管理するように、1次RATトランシーバ150および/または2次RATトランシーバ152とともに動作することができる。示す構成要素のうちのいくつかまたはすべては様々な適用例においてオプションであってよく、または省かれてよいことを諒解されよう。
【００３２】
図2は、通信媒体132上で実装され得る例示的な長期間欠送信(DTX)通信方式のいくつかの態様を示す。(i)アクセスポイント110とアクセス端末120との間の1次RAT通信と、(ii)近隣デバイス間の他の2次RAT通信との間の共存を、たとえば、通信のアクティブ期間204と通信の非アクティブ期間206との間の通信媒体132を介した1次RATの動作を切り替えることによって促進するために、DTX通信方式が使用され得る。所与のアクティブな期間204/非アクティブ期間206の対は、まとめて通信パターン200を形成する送信(TX)サイクル(TDTX)208を構成し得る。各アクティブ期間204と関連付けられる時間期間TON中、通信媒体132上の1次RAT送信は、通常の比較的高い送信出力で進行し得る。一方、各非アクティブ期間206と関連付けられる時間期間TOFF中、媒体132上の1次RAT送信は、無効化されるか、または、2次RATに従って動作している近隣デバイスに通信媒体132を譲るように十分に低減される。この時間中、媒体利用測定、媒体利用感知など、必要に応じて、媒体利用アナライザ144を経由して様々なネットワーク聴取機能および関連する測定を実行することができる。
【００３３】
DTX通信パターン200は、1つまたは複数のDTXパラメータのセットによって特徴付けることができる。たとえば、アクティブ期間204および非アクティブ期間206中のデューティサイクル(すなわち、TON/TDTX)およびそれぞれの送信電力を含む、関連するDTXパラメータの各々は、DTX通信パターン200を動的に最適化するために、通信媒体132上の現在のシグナリング状態に基づいて適応され得る。たとえば、2次RAT(たとえば、Wi-Fi)に従って動作するように構成された2次RATトランシーバ142は、通信媒体132を介しての1次RAT通信に干渉する可能性または1次RAT通信によって干渉される可能性がある2次RATシグナリングに関する時間期間TOFF中に通信媒体132を監視するようにさらに構成され得る。媒体利用アナライザ144は、2次RATシグナリングによる通信媒体132の利用率と関連付けられる利用メトリックを決定するように構成され得る。利用メトリックに基づいて、関連パラメータが設定されてよく、1次RAT(たとえば、LTE)に従って動作するように構成された1次RATトランシーバ140は、それに従って、通信媒体132を介して通信のアクティブ期間204と通信の非アクティブ期間206との間で循環するようにさらに構成され得る。一例として、利用メトリックが高い(たとえば、しきい値を上回る)場合、パラメータのうちの1つまたは複数は、1次RATトランシーバ140による通信媒体132の使用が(たとえば、デューティサイクルまたは送信出力の低減によって)減らされるように調整され得る。逆に、利用メトリックが低い(たとえば、しきい値を下回る)場合、パラメータのうちの1つまたは複数は、1次RATトランシーバ140による通信媒体132の使用が(たとえば、デューティサイクルまたは送信出力の増大によって)増やされるように調整され得る。
【００３４】
いくつかのDTX通信方式では、アクティブ期間204と非アクティブ期間206との間の切替えは、事前定義(たとえば、周期)され、時分割多重(TDM)通信方式と呼ばれる場合がある。他のDTX通信方式では、アクティブ期間204と非アクティブ期間206との間の切替えは、条件付けされ、リッスンビフォアトーク(LBT:Listen Before Talk)通信方式と呼ばれる場合がある。LBT通信方式は、その期間を捉えるか、またはバックオフするかを決定するための通信媒体132を評価する感知間隔として各非アクティブ期間206と関連付けられる時間期間TOFFを使用することができる競合ベースのプロトコルである。たとえば、2次RAT(たとえば、Wi-Fi)に従って動作するように構成された2次RATトランシーバ142は、2次RATシグナリングに関する時間期間TOFF中に通信媒体132を監視するようにさらに構成可能であり、媒体利用アナライザ144は、次のアクティブ期間204を開始する前に他の2次RATデバイスが通信媒体132上で通信しているかどうかを決定するようにさらに構成され得る。何のそのような送信も検出されない(たとえば、シグナリングしきい値を上回る)とき、次のアクティブ期間204が開始され得る。送信が実際に検出されたとき、次のアクティブ期間204は遅延され得る(たとえば、その後で競合手順が繰り返され得るバックオフ期間の間)。
【００３５】
DTX通信方式は、(i)スペクトルの異なる部分上で動作している「アンカー」1次セル(PCell)とともに共有媒体132上で動作しているワイヤレスリンク130の1つまたは複数の2次セル(SCell)を有するLTE補助ダウンリンク(SDL)などの補完構成、または(ii)共有媒体132上で一緒に動作しているワイヤレスリンク130のPCellおよび任意のSCellの両方を有するLTEスタンドアロンなどのスタンドアロン構造を含めて、ワイヤレスリンク130の様々な構成で実装され得る。ワイヤレスリンク130のスタンドアロン構成に関する共有媒体132上のPCell動作を促進するために、制御シグナリング、アクセス端末同期化、チャネル選択、ページング、ランダムアクセス、干渉管理、再送信、間欠受信、セルの遷移などの態様に関する様々な技法が下でより詳細に説明される。
【００３６】
図3は、制御シグナリングを協調させるためにオールモストブランク無線フレーム(ABRF)を利用するPCellに関する例示的なDTX通信方式を示す。図2におけるように、通信のアクティブ期間204中、通信媒体132上の1次RAT送信は有効化される。非アクティブ期間206中、2次RAT動作を可能にし、測定を行うために、通信媒体132上の1次RAT送信は無効化される。
【００３７】
この例では、DTX通信パターン300は、システムフレーム番号(SFN)数秘術のコンテキストで示される無線フレーム構造と一時的に整合される。システム固有のタイミングパターンフレームワークの使用は、システム非依存型技法よりもアクセスポイント間により自然かつ効率的な協調を実現し得る。一例として、LTEシステムフレームは1024個の番号付けされた無線フレーム(RF)に分割され、これらの無線フレームは一緒にSFNサイクル(たとえば、10ms RFに対して10.24s続く)を構成する。サイクル持続期間(TDTX)およびデューティサイクル(TON/TDTX)など、DTXタイミングパラメータは、整合されて、各SFNサイクルのフレームワーク内にフィットするように適応され得る。たとえば、各DTXサイクルは、特定の数のRF(たとえば、図3では、4個のRF、RFTからRFT+3)をカバーすることができ、関連するデューティサイクルに基づいて、それらのRFのそれぞれのサブセットをカバーするアクティブ期間と非アクティブ期間とに分割され得る(たとえば、図3では、アクティブ期間204に関する2個のRF、RFTからRFT+1、および非アクティブ期間206に関する2個のRF、RFT+2からRFT+3、それによって、50%デューティサイクルを実装する)。別の例として、DTXサイクルは、各SFNサイクルがアクティブ期間204で開始するようにSFNサイクル境界と整合され得る(たとえば、第1のRF境界において生じるようにアクティブ期間遷移がスケジュールされ得る)。別の例として、(たとえば、特定のRFロケーションの点で)所与のSFNサイクル内の特定の時間において様々な測定期間が実施され得る。
【００３８】
図3にさらに示すように、各非アクティブ期間206は、継続的なシステム動作を促進するために、非アクティブ期間206中に制御シグナリングを伝えるように構成された1つまたは複数のABRF310を含み得る。制御シグナリングは、タイミング同期、システム獲得、DTXパラメータ設定、干渉測定(たとえば、無線リソース測定(RRM)/無線リンク測定(RLM))、追跡ループ、利得制御(たとえば、自動利得制御(AGC))などに関連する情報を含み得る。ABRF310は、非アクティブ期間206を構成するRFのうちの1つまたは2つ以上の上で送られ得る(たとえば、ABRFが繰り返すRF数を表す周期性Nに従って)。
【００３９】
示した例では、図3で非アクティブ期間206に関して利用されるABRF310は、LTEシステムに関して構成され、各非アクティブRF(すなわち、RFT+2およびRFT+3)内でN=1の周期性を用いた、第1のLTEサブフレーム(SF0)、および第2のLTEサブフレーム(SF1)の第3のOFDMシンボル(シンボル2)の送信を含む。SF0送信は、1次同期信号(PSS)、セル固有の基準信号(CRS)、およびマスタ情報ブロック(MIB)シグナリングを含む。SF1、シンボル2送信は、2次同期信号(SSS)シグナリングを含む。SF1における選択信号、ならびに第3のLTEサブフレーム(SF2)、第4のLTEサブフレーム(SF3)、第5のLTEサブフレーム(SF4)、第6のLTEサブフレーム(SF5)、第7のLTEサブフレーム(SF6)、第8のLTEサブフレーム(SF7)、第9のLTEサブフレーム(SF8)、第10のLTEサブフレーム(SF9)を含めて、他のサブフレーム内のすべての信号または選択信号など、通常送信されることになる他の信号は削除されてよい。削除される信号の例は、物理制御フォーマットインジケータチャネル(PCFICH)信号、物理ハイブリッドARQインジケータチャネル(PHICH)信号、物理ダウンリンク制御チャネル(PDCCH)信号、物理ダウンリンク共有チャネル(PDSCH)信号、物理ブロードキャストチャネル(PBCH)信号、またはそれらの組合せを含み得る。
【００４０】
採用される1次RATおよび所望されるシグナリングに応じて、必要に応じて、異なるABRF構成を使用することができることを諒解されよう。しかしながら、必要とされないものの、たとえば、LTEシステムにおける初めの2個のサブフレームに対するABRFシグナリングを制限することは、各々が少なくとも初めの2個のサブフレーム中で共通サブフレーム構造を利用するすべてのLTE時分割複信(TDD)構成にわたってそのような構成が普遍的に使用されることを可能にすることをさらに諒解されよう。
【００４１】
いくつかの設計では、ABRF構成は、所与の非アクティブ期間206内ですら、動的であり得る。たとえば、いくつかの制御信号は、すべてのRFよりも頻度が低いが、いくつかのDTXサイクル設定が場合によっては提供することになるよりも潜在的に頻度が高い周期的送信を必要とし得る。第1のLTEシステム情報ブロック(SIB-1)シグナリングは、たとえば、比較的短いDTXサイクルによって適切に送信され得るが、送信ギャップは40ms以下(たとえば、TDTX=2または4個のRF)であるが、他の比較的長いDTXサイクル(たとえば、TDTX=8または16個のRF)によって適切に送信され得ない。したがって、そのような信号を搬送しているサブフレーム(たとえば、SIB-1に関するSF5)または(所望されるシンボル期間だけを保持する)そのパンクチャされたバージョンは、(たとえば、DTX通信パターン200の周期性と比較して)必要とされる周期性に従って必要なときだけ、ABRF構成内に含まれてよい。
【００４２】
アクセス端末動作をワイヤレスリンク130のスタンドアロン構成と協調させるために、対応するDTXパラメータが通信媒体132を介してアクセス端末120に送信され(たとえば、ブロードキャストされ)得る。異なるパラメータが、異なる方法でシグナリングされ得る。たとえば、LTEシステムでは、DTXサイクル持続時間(TDTX)はMIBシグナリングを経由して(たとえば、1つまたは複数の確保されたビットを使用して)シグナリングされ得る。別の例として、アクティブ化された期間持続時間(TON)またはDTXデューティサイクル(TON/TDTX)の別の表示は、物理ダウンリンク制御チャネル(PDCCH)シグナリングを経由して(たとえば、ダウンリンク制御情報(DCI)メッセージを使用して)シグナリングされ得る。DTX通信パターンについてのアクセス端末の認識は、(アクセス端末120が非アクティブ期間206中に監視を低減することを可能にすることによって)バッテリー効率を高めると同時に、(たとえば、アクセス端末120が非アクティブ期間206中に異なる追跡ループを凍結することを可能にすることによって)受信機の複雑さを低減することができる。
【００４３】
図4は、DTXパラメータ情報を伝えるように適合された例示的なMIBを示す。LTEでは、たとえば、MIBは物理ブロードキャストチャネル(PBCH)上で送信され、セルから他の情報を獲得するために使用される、最も本質的、かつ最も頻繁に送信される限定数のパラメータを含む。示すように、MIB400は、具体的には、ダウンリンクチャネル帯域幅情報402(たとえば、リソースブロック(RB)の点で)、物理ハイブリッドARQインジケータチャネル(PHICH)構成情報404(たとえば、PHICH持続時間およびPHICHリソース)、MIBが送信されているRFに関するSFNインデックスまたは他の識別子406、および将来の使用のために確保されている未使用(確保されている)ビット408のグループを搬送することができる。
【００４４】
確保されたビット408のうちの1つまたは複数を使用して、DTXパラメータ情報を伝えることができる。示した例では、DTXサイクル持続時間(TDTX)410に関する情報は、確保されたビット408内に含まれる。DTX通信方式が対応するSFN構造と実質的と整合する場合、DTXサイクル持続時間(TDTX)410を特定することは、DTXサイクル境界を伝えるために十分であり得る。たとえば、DTXサイクルがRF境界と整合し、各SFNサイクルがアクティブ期間で開始する(すなわち、SFNmodTDTX=0)とき、1セットの所定のDTXサイクル持続時間のうちの1つを表すインデックスパラメータ(たとえば、TDTX={2RF, 4RF, 4RF, 16RF})がDTXサイクル持続時間(TDTX)410に関して使用され得る。2つの所定のDTXサイクル持続時間のセットは、(LTE MIBに関する10個の確保ビットの中から)1ビットだけを必要とし、4つの所定のDTXサイクル持続時間のセットは2ビットだけを必要とする、等々である。
【００４５】
一般に、LTE MIBは、40msの周期性を有し、10msごとに反復が行われる状態で固定されたスケジュールを使用する。より具体的には、MIBの第1の送信は、4つのRF(すなわち、SFNmod4=0であるRF)ごとにSF0内でスケジュールされ、反復はすべての他のRFのSF0内でスケジュールされる。さらに、図3を参照して上で論じたように、MIBシグナリングは1つまたは複数のABRF310内に含まれ得る。したがって、アクセス端末120は、非アクティブ期間206中ですらMIB情報を読み取ることができる。
【００４６】
図5は、DTXパラメータ情報を伝えるように適合された例示的なDCIメッセージを示す。LTEでは、たとえば、DCIメッセージは、PDCCH上で送信され、1つの無線ネットワーク一時識別子(RNTI)に関するリソース割当てを示すために使用される。アクセス端末120は、UE固有の探索空間または共通PDCCH探索空間のいずれかの中で、PDCCH上で受信されたDCIメッセージの復号を試みることができる。
【００４７】
示した例では、DCIメッセージ500は、N個のセル(Cell1502、Cell2504、Cell3506、…CellN508)に関するアクティブ期間持続時間(TON)情報を含む。DTXサイクル持続時間(TDTX)が別々にシグナリングされ(たとえば、図4を参照して上で説明したようなMIBシグナリングを経由して)、アクティブ期間持続時間(TON)がRF境界と整合する場合、DTXサイクル持続時間(TDTX)の割合として1セットの所定のアクティブ期間持続時間(TON)値のうちの1つを表すインデックスパラメータが使用され得る(たとえば、TON={1/16, 1/8, 1/4, 3/8, 1/2, 5/8, 3/4, 1})。4つの所定のアクティブ期間持続時間値のセットは2ビットだけを必要とし、8つの所定のアクティブ期間持続時間値のセットは3ビットだけを必要とする、等々である。
【００４８】
DCIメッセージ500は、LTEにおいてPDCCH内で使用される1つまたは複数の異なるDCI「フォーマット」上で送られ得る。一例として、物理ダウンリンク共有チャネル(PDSCH)コードワードのコンパクトスケジューリングのために定義されるDCIフォーマット1C(DCI-1C)は、アクティブ期間持続時間(TON)インデックスを伝えるために再利用され得る。LTEでは、最高で5個のサービングセルが許可され、DCI-1Cメッセージは15ビットを含む。したがって、許可される数のサービングセルの各々に関する異なるアクティブ期間持続時間(TON)情報は、3ビットの割振りでDCI-1Cメッセージ内に含まれることが可能であり、8つの所定のアクティブ期間持続時間値のセットがこのように伝えられることを可能にする。しかしながら、必要に応じて、他の数のセルおよびビットを使用することができることを諒解されよう(たとえば、より少数のセル、値のより大きいセット、異なるセルに関する値の共通のセット)。各DTXサイクル内の少なくとも第1のRFの保証されたアクティブ期間に基づいて、大部分のアクセス端末は、DCI-1Cメッセージを迅速に読み取り、DTX通信パターンを特定することが可能になる。
【００４９】
いくつかのシステムでは、DCI-1Cメッセージは、同様に他の目的で利用されてよく、両方の技法の共存のためにその調整が行われる。たとえば、DCI-1Cメッセージは、動的TDD構成情報をシグナリングするために使用されてもよい。ダウンリンク(DL)/アップリンク(UL)干渉管理およびトラフィック適応(eIMTA)のためのLTE TDDに対する拡張は、現在のトラフィック状態に基づいてLTE-TDD構成に対する適応的変更を特定する。具体的には、eIMTA_RNTIが、SF0、SF1、SF4、およびSF5の各々の中でDCI-1C内でシグナリングされる。アクティブ期間持続時間(TON)に関してこれらのうちの1つ(たとえば、SF5)を多重化し、再使用することは、情報の両方の組が伝えられることを可能にする。
【００５０】
システム検出に目を向けると、2次RATチャネルの各々(たとえば、Wi-Fiによって定義された20個のチャネルの各々)の上でシステム獲得を実行することは、全媒体132を介して旧来の周波数走査を実行するよりも効率的であり得る。コンテキスト認識を使用して、ロケーション、時間、アクセス端末のモビリティ状態などに基づいて、走査および獲得をトリガ/禁止することができる。
【００５１】
図6は、DTX通信方式におけるシステム獲得を示すシグナリングフロー図である。この例では、アクセスポイント110は、(たとえば、図3を参照して上で説明したタイプの)DTX通信方式に従って動作しているPCellを経由してサービスを提供しており、アクセス端末120はシステム獲得を実行している。
【００５２】
示すように、アクセス端末120は、最初に、システム同期情報(たとえば、PSS/SSSシグナリング)(信号612)を受信し、処理する。図3を参照すると、PSS/SSSシグナリングは、たとえば、標準RFの両方のHF(たとえば、SF0〜SF1およびSF5〜SF6内の)ではなく所与のABRF(たとえば、SF0〜SF1内の)前半フレームだけの中に存在し得る。ソフト結合は、必要に応じて、複数のABRFを介してPSS/SSSシグナリグを再構成するために使用され得る。ここから、アクセス端末120は、アクセスポイント110の物理セル識別子(PCI)、タイムスロット、およびフレーム同期を獲得し、これはアクセス端末120が他の情報を位置特定し、復号することを可能にする。
【００５３】
具体的には、アクセス端末120は、アクセスポイント110によってブロードキャストされたMIB(信号614)を復号することが可能である。上で論じたように、MIBを使用して、他の情報(たとえば、SFN)の中でもDTXサイクルタイミングに関する情報(たとえば、DTXサイクル持続時間(TDTX))を提供することができる。したがって、復号されたMIBに基づいて、アクセス端末120は、次のDTXサイクルの開始(たとえば、SFNmodTDTX=0であるRF)を位置特定することができ、したがって、次の保証されたアクティブ期間を位置特定することができる(ブロック616)。
【００５４】
次の保証されたアクティブ期間(ブロック618)において、アクセス端末120は、利用可能であることが保証されるSIB-1を復号し、SIB-1内の情報に基づいて、SIB-2を復号する、等々である(信号620)。SIB-1およびSIB-2の復号は、アクセス端末120がシステムのアクセスを開始することを可能にする(たとえば、ランダムアクセスチャネル(RACH)を経由して)(信号622)。
【００５５】
図7は、DTX通信方式において使用するように適合された例示的なページング構造を示すタイミング図である。この例では、例示のために、DTXサイクル持続時間は8個のRF(すなわち、TDTX=8)に設定され、ページングサイクルは64個のRFに設定されている。
【００５６】
ページングフレーム(PF)は、ページングおよびシステム情報変更通知のために使用されるページングメッセージを送るための1つまたは複数のページング機会(PO)サブフレームを含むことが可能なRFである。LTEでは、たとえば、アクセス端末120(この例では、LTE UE)のためのPFのロケーションは、次の式に従って、いくつかのページングパラメータによって定義される。
SFNmodT=(T/N)*(UE_ID mod N)   (式1)
【００５７】
ここで、T=min(UE固有の間欠受信(DRX)値、DefaultPagingCycle)であり、UE固有のDRXサイクルとデフォルトのセル固有のDRXサイクルとの間の最小DRXサイクルを表す。一方、N=min(T,nB)であり、UEのページングサイクル内のページングフレームの数を表し、nB={2T,T, T/2, T/4, T/8, T/16, T/32}である。最終的に、UE_ID=International Mobile Subscriber Identity(IMSI)mod1024であり、疑似間隔値として使用される。DefaultPagingCycleおよびnBパラメータはシステム情報(SIB-2)内でブロードキャストされる。
【００５８】
ページングがアクティブ期間中にスケジュールされることを確実にする目的で、すべてのPFをアクティブ期間になると保証されているDTXサイクルの第1のRFと整合させるために、DTXサイクリングパラメータに基づいて、ページングパラメータのうちの1つまたは複数が具体的に構成される。たとえば、PF周期性をDTXサイクルと一致させるために、eBパラメータは(T/TDTX)に設定され得る。示した例では、図7において、DTXサイクル持続期間が8個のRF(すなわち、TDTX=8)に設定される場合、nBはnB=T/8に設定可能であり、したがって、N=min(T,T/8)=T/8である。したがって、所与のPFのロケーションは、SFNmodT=8*(UE_IDmodT/8)=8の倍数になり、これは、ロードされていない場合ですらセルがアクティブになると保証されるDTXサイクルの開始と整合する。
【００５９】
図8は、DTX通信方式とともに使用するように適合され得る例示的なランダムアクセス手順を示すシグナリング流れ図である。この例では、アクセスポイント110は、(たとえば、図3を参照して上で説明したタイプの)DTX通信方式に従って動作しているPCellを経由してサービスを提供しており、アクセス端末120は、セルリソースに対するアクセスを得るために、競合ベースのランダムアクセス手順を実行している。
【００６０】
競合ベースのランダムアクセスは、一般に、4部からなる手順として実行され得る。最初に、アクセス端末120は、ランダムアクセスプリアンブル(Msg1 812)を送信し、そのフォーマットおよびPRACH時間領域リソース割振りをPRACH-ConfigurationIndexパラメータによって示すことができる。Msg1を送信するのとともに、アクセス端末120は(たとえば、ra-ResponseWindowSizeパラメータに従って)ランダムアクセス応答(RAR)タイマーを設定し(ブロック822)、PDCCH上でRARメッセージ(Msg2 814)を待つ。RARタイマーが失効する前にMsg2を受信するとすぐに、アクセス端末120はRARタイマーを中止する(ブロック824)。さもなければ、アクセス端末120はMsg1 812を再送信する。
【００６１】
Msg2内で、アクセス端末120は、RRC要求(Msg3 816)を送信する際に利用されることになるタイミング整合値、リソース(アップリンク許可)、および一時識別子(C-RNTI)を受信する。Msg3を送信するとともに、アクセス端末120は、(たとえば、mac-ContentionResolutionTimerパラメータに従って)競合解消(CR)タイマーを設定する(ブロック826)。
【００６２】
Msg3の送信の後、アクセス端末120は、CRタイマーの失効まで、その一時識別子を含むCRメッセージ(Msg4 818)についてPDCCHを監視する。Msg4を成功裏に復号するとともに、アクセス端末120はCRタイマーを中止する(ブロック828)。
【００６３】
ランダムアクセスが採用されるDTX通信パターンと協調されることを確実にするために、ランダムアクセスパラメータのうちの1つまたは複数は、PRACH(時間)リソースを制約するようにDTXサイクリングパラメータに基づいて特別に構成されてよく、アクセスポイントはアクティブ期間内にのみ入るように応答する。たとえば、アクセスポイントは、(たとえば、T0=2(奇数フレームのみ)を満たすprach-ConfigurationIndexとT1=0(前半フレーム(first HF)内に位置特定される)とを経由して)奇数フレームの前半内にのみ入るようにPRACHリソースを構成し、(たとえば、ra-ResponseWindowSizeを経由して),続くRF内の第1のアクティブ期間のSF0をカバーするようにRARウィンドウを構成し、(たとえば、mac-ContentionResolutionTimerを経由して)複数のアクティブ期間をカバーするように競合解消ウィンドウを構成する、等々が可能である。
【００６４】
図9は、DTX通信方式を用いた動作のための、図8のランダムアクセス手順の例示的な適応を示すタイミング図である。この例では、例示のために、DTXサイクル持続時間は2RF(すなわち、TDTX=2)に設定され、デューティサイクルは1/2(すなわち、TON=1)に設定され、TDD構成は「1」に設定されている。さらに、prach-ConfigurationIndex=1(すなわち、奇数無線フレーム、前半フレーム、および第2のULサブフレームを特定する(0,2,0,1)構成に対応する)、RARウィンドウパラメータra-ResponseWindowSize=10ms、およびMsg3競合ウィンドウパラメータmac-ContentionResolutionTimer=32ms、である。
【００６５】
示すように、図9のタイミング図は、RFN(アクティブ期間)からRFN+1(非アクティブ期間)、ならびに先行するRFN-1(非アクティブ期間)および後続のRFN+2(アクティブ期間)に対応する全DTXサイクルをカバーする。RAR Msg2がRFN(アクティブ期間)内で配信されることを確実にするために、アクセス端末120は、prach-ConfigurationIndexによって指定されるように第2のULサブフレーム中でそのプリアンブルMsg1を先行するRFN-1(非アクティブ期間)内で送る。RARウィンドウパラメータra-ResponseWindowSizeは比較的長い値であるため(10msは例示的な例である)、RFN(アクティブ期間)のSF0内で配信されるRAR Msg2はRARウィンドウ内になることが保証される。
【００６６】
図8を参照して上でより詳細に論じたように、RAR Msg2を受信するとすぐに、アクセス端末120はRRC Msg3を(たとえば、後で、RFN内で)送り、そのCRタイマーを設定する。CRタイマーパラメータmac-ContentionResolutionTimerは比較的長く設定されるため(32msは例示的な例である)、アクセス端末120は、RFN+1(非アクティブ期間)によって導入される遅延によりCRタイマーが失効することなく、CR Msg4を受信するように、RFN+2において別のアクティブ期間を待つことができる。
【００６７】
いくつかの設計では、アクセスポイント110は、RACH手順を完了するために、(たとえば、すべてのデューティサイクルにわたって適応し、TON内の何らかの増大も考慮に入れて)アクティブ期間を機会主義的に延長することができる。
【００６８】
図3、およびアクセス端末120による様々なシグナリング測定(たとえば、RRM/RLM)に関する上の議論に戻ると、必須のシグナリング(たとえば、LTE PSS/SSSおよび/またはCRS)が無効化され得るとき、非アクティブ期間中の実行によってこれらの測定が破損されないことを確実にするために、これらの測定はDTX動作と協調され得る。そのような測定の破損は、チャネル選択だけでなく、アクセス端末支援型無線リソースおよび電力管理、PCI衝突検出、他の自己組織化ネットワークアルゴリズム、モビリティ、ループ追跡手順などを含めて、他の測定ベースの手順にも影響を及ぼし、それによって、システムの適切な動作に悪影響を及ぼす可能性がある。
【００６９】
協調を促進するために、アクセス端末120は、そのサービングセルを経由して(たとえば、上でより詳細に論じたようにMIBおよびPDCCHシグナリングを経由して)、アクセスポイント110によってブロードキャストされるDTXパラメータを利用することができる。たとえば、そのサービングセルに関する測定の場合、アクセス端末120は、DTXサイクル(TDTX)およびアクティブ期間持続時間(TON)のその認識を利用して、アクティブ期間中、および非アクティブ期間のABRF内の1つまたは複数の指定されたサブフレーム(たとえば、SF0)中にのみすべての測定ループを実行することができる。周波数内ネイバーセルまたは周波数間測定の場合、アクティブ期間持続時間(TON)それ自体は知られていない場合があるが、アクセス端末120は、同期DTXサイクル(TDTX)のその知識を利用して、最小保証送信期間(たとえば、各DTXサイクルの第1のRFおよび/またはSF0)中に測定を実行することができる。
【００７０】
図3を再び参照すると、比較的短いDTXサイクルの場合、所与のハイブリッド自動再送要求(HARQ)手順が単一のアクティブ期間内で完了することが可能になることを保証することは実現可能でない場合がある。DL HARQは非同期であり、複数のDTXサイクルにわたって継続し得るが、UL HARQは、概して、同期であり、最後には干渉非アクティブ期間と重複することになり得る。
【００７１】
図10は、DTX通信方式を用いた動作のためのUL HARQの適応を示すタイミング図である。図2におけるように、通信のアクティブ期間204中、通信媒体132上の1次RAT送信は有効化される。非アクティブ期間206中、2次RAT動作を可能にし、測定を行うために、通信媒体132上の1次RAT送信は無効化される。
【００７２】
示すように、アクセス端末120は、1つまたは複数のパケットの再送信要求を(たとえば、アクティブ期間204のうちの1つの中で)アクセスポイント110から受信することができ、それらのパケットを再送信するためにUL HARQ手順の実行を開始することができる。UL HARQ手順は、DTX通信パターン200に基づいて適応され得る。具体的には、UL HARQは、DL HARQ同様、効果的に非同期化するように修正可能であり、アクセスポイント110は、リソースが割り振られた各サブフレーム中でどのHARQプロセスを使用するかに関してアクセス端末120に命令を与える。概して、同期HARQの場合、パケットの送信は、送信機および受信機によって事前に知られているサブフレーム内で送られ得る。しかしながら、非同期HARQの場合、パケットの送信は、任意のサブフレーム中でスケジュールされ、送られ得る。非同期化のようなHARQ手順を使用して、すべてのサブフレーム中の再送信を回避することによって、DTX通信パターン200のコンテキストで動作に関する柔軟性を高めることができる。
【００７３】
しかしながら、デバイス挙動に対する変更を低減しながら非同期化のようなHARQ方式を実装するために、アクセス端末120は、非アクティブ期間中にスケジュールされ得る再送信機会を無視しながら、同期的に動作するように構成され得る。再送信は、代わりに、次のアクティブ期間204中の次の再送信機会に引き継がれてよい。すなわち、アクセス端末120は、要求されたパケットを再送信するための同期HARQ再送信スケジュールのための再送信機会のセットを決定することができるが、DTX通信パターン200に基づいて、再送信機会のすべてに満たないサブセット上でだけパケットを再送信することができる。アクセス端末120とアクセスポイント110は両方とも、この再送信パターンを理解および予想するように構成され得る。
【００７４】
図10に示すように、この例では、アクセス端末120は、DTX通信パターン200の非アクティブ期間206のうちの1つの中でスケジュールされた何らかの再送信機会中に要求されたパケットを再送信することを控えることができる。たとえば、アクセス端末120は、DTX通信パターンの第1のアクティブ期間204と重複する第1のスケジュールされた再送信機会(R-TXOP)1002中にパケットの第1の部分を再送信することができる。アクセス端末120は、次いで、DTX通信パターン200の非アクティブ期間206と少なくとも部分的に重複する第2のスケジュールされた再送信機会1004中にパケットの第2の部分を再送信することを控えることができる。アクセス端末120は、代わりに、DTX通信パターン200の第2のアクティブ期間204と重複する第3のスケジュールされた再送信機会1006中にパケットの第2の部分を再送信することができる。
【００７５】
上でより詳細に論じたように、アクセス端末120は、DTX通信パターン200のアクティブ期間204および非アクティブ期間206のロケーションに関するタイミング情報を様々な方法で決定することができ、このタイミング情報は再送信手順を協調させる際に使用され得る。さらに、アクセス端末は、(たとえば、DTX通信パターンのアクティブ期間中に)再送信機会のセットを特定するスケジューリング通知を受信することができる。
【００７６】
他の設計では、アクセス端末120は、要求されたパケットを新しい許可として再度送る代わりに、非アクティブ期間に達するとすぐにULバッファをフラッシュすることができる。さらに他の設計では、低パケットエラーレート(PER)を目標にしながら、1つまたは数個(たとえば、1〜2個)の送信内で復号を強制するようにHARQパラメータを制約することができる。これらは、代替的なより簡単な解決策であるが、UL能力にも影響を及ぼし得る。
【００７７】
さらなる拡張として、DTX通信パターンとのアクセス端末の同期化が、(接続モード)間欠受信(DRXまたはcDRX)などの他の通信システム動作と協調され得る。
【００７８】
図11は、連続受信を必要としない適用例のためにアクセス端末120と通信するために使用され得る例示的なDRX通信モードを示す。示すように、ある所定の時間または取り決められた時間中にアクセス端末120の1次RATトランシーバ140の受信機能(RX)は(たとえば、接続状態において)オンにされるが、他の時間では、その受信機能(RX)はオフにされ(DRXギャップと呼ばれる)、アクセス端末120は低電力状態に入る。所与のDRXサイクルのオン期間中に1次RATトランシーバ140は、DLデータを特定するために、対応する制御チャネルなど(LTE PDCCHとして図示)を監視し得る。アクセスポイント110は、DRX動作を制御し、それに応じて、通信をスケジュールすることができる。
【００７９】
選択リソース上の込み合いを回避するために、アクセスポイント110と関連付けられるアクセス端末はグループに分割可能であり、異なるグループが異なる時点でPDCCHを監視することができる。drxStartOffsetパラメータを使用して、それらのそれぞれのON持続時間が開始するために指定される、異なるグループに関する異なるオフセットサブフレームを指定することができる。
【００８０】
概して、DRXは、連続的にではなく、構成可能な間隔または所定の間隔でのみ制御チャネルを監視することによって、アクセス端末120がバッテリー電力を保存することを可能にする。したがって、(たとえば、各DRX ON持続時間が最小アクティブ期間TON,minと重複することを少なくとも保証するために)、DRX動作をDTX動作と実質的に同期させるように1つまたは複数のDRXパラメータ(たとえば、drxStartOffset)を特別に構成することが有利であり得る。
【００８１】
図12は、DTX通信方式において使用するように適合された例示的なDRX構造を示すタイミング図である。この例では、例示のために、DTXサイクル持続時間は2RF(すなわち、TDTX=20ms)に設定され、デューティサイクルは1/2(すなわち、TON=10ms)に設定され、最小アクティブ期間は1RF(すなわち、TON,min=10ms)に設定され、TDD構成は「1」に設定されている。さらに、DRXサイクルはDTXサイクルの2倍(2*TDTX)に設定され、DRX ON持続時間(onDuration)は6psf(10ms)に設定され、psf(PDCCH-Subframe)はPDCCHを有するサブフレームを指す。FDD動作の場合、これは任意のサブフレームを表し、一方、TDD動作の場合、これは、DLサブフレームおよびDwPTSを含むDLサブフレームのみを表す。(したがって、TDD構成1における6psfは、たとえば、10msに対応する。)
【００８２】
示すように、アクセス端末120など、アクセス端末のセットは2つのグループ、グループ1およびグループ2に分割される。この例では、グループ1およびグループ2のDRX ON持続時間は、グループ1をdrxStartOffset=0に、グループ2をdrxStartOffset=TDTXに設定することによって、交番DTXサイクルにわたってスタッガされる。各アクセス端末に関するDRX ON持続時間は、保証されるアクティブ期間として、TON,minと整合される。
【００８３】
図13は、DTX通信方式において使用するように適合された例示的なDRX構造を示す別のタイミング図である。この例では、例示のために、DTXサイクル持続時間は16RF(すなわち、TDTX=160ms)に設定され、デューティサイクルは1/2(すなわち、TON=80ms)に設定され、最小アクティブ期間は4RF(すなわち、TON,min=40ms)に設定され、TDD構成は「1」に設定されている。さらに、DRXサイクルはDTXサイクル(TDTX)に設定され、DRX ON持続時間(onDuration)は12psf(20ms)に設定されている。
【００８４】
示すように、アクセス端末120など、アクセス端末のセットは、やはり2つのグループ、グループ1およびグループ2に分割される。この例では、グループ1およびグループ2のDRX ON持続時間は、グループ1をdrxStartOffset=0に、グループ2をdrxStartOffset=TON,min/2に設定することによって、共通DTXサイクル内でスタッガされる。各アクセス端末に関するDRX ON持続時間は、保証されるアクティブ期間として、TON,minと整合される。
【００８５】
さらなる拡張として、いくつかの状況では、アクセスポイント110は、不要な媒体利用率と2次RATデバイスに対する干渉とをさらに低減するために、1つまたは複数のアクティブ時間中にPCellをDL「ライト」構成に機会主義的に切り替えることができる。たとえば、所与のPCell上にわずかなトラフィックが存在するか、または何のトラフィックも存在しない場合、アクセスポイント110は、PCellを、最小DLサブフレームを有するTDD config0構造に結合された低デューティサイクルDTXパターンに切り替えることができる。
【００８６】
図14は、機会主義的に干渉を低減するためのDLライト構成を利用するPCellに関する例示的なDTX通信方式を示す図である。図2〜図3におけるように、通信のアクティブな期間204中、通信媒体132上の1次RAT送信は有効化される。非アクティブ期間206中、通信媒体132上の1次RAT送信は、2次RAT動作を可能にし、測定を行うために、無効化されるが、適宜に、継続的な制御シグナリングを促進するために、1つまたは複数のABRF310を含み得る。
【００８７】
この例では、DTXデューティサイクル(TON/TDTX)は、ここでは、4RF(TDTX=40ms)からの1RF(TON=10ms)である最小許容設定(すなわち、TON=TON,min)に低減される。さらに、TDD構成は、ここでは、DL動作のために構成された10個のサブフレームからの2個のサブフレーム(すなわち、SF0およびSF5)のみを有するTDD config0である最小DLサブフレーム構造に設定されている。したがって、示されたDTXサイクルの場合、このDLライト構成は、比較的小さい(たとえば、20%有効)送信デューティサイクルを利用し、依然として、ネイバーセル測定の機会を提供するが、Wi-Fiなど、2次RATデバイスに対する干渉を低減する。さらに、動作シナリオが変化すると(たとえば、トラフィックが増大すると)、アクセスポイント110は、DLライト構成からより高いデューティサイクルおよび/またはより高いDL使用構造に切り替えることができる。
【００８８】
アクセスポイント110は、時々、アクセス端末120に関してPCellを切り替えることを望む場合がある。これは負荷分散目的、改善されたチャネル選択目的などのためであり得、共存はより動的であるため、これらは、補助ダウンリンク構成に関するよりもスタンドアロン構成に関してより重要であり得る。異なるタイプのPCell切替え(たとえば、PCellスワップ対PCell追加)に関して、異なるRRCモード(たとえば、接続モード対アイドルモードのアクセス端末)に関して、等々、異なる手法を使用することができる。同じアクセスポイントによって提供される、あるセルから別のセルへのアクセスポイント内ハンドオーバは、「自己ハンドオーバ」または「ブラインドハンドオーバ」と呼ばれる場合がある。
【００８９】
図15は、アクセス端末の既存のコンポーネントキャリア間で接続されたモードアクセス端末のPCellを切り替えるための例示的なPCellスワップ手順を示すシグナリング流れ図である。この例では、アクセスポイント110は、2個のセル、すなわち、第1の(ソース)セル1508および第2の(ターゲット)セル1506を経由してアクセス端末120にサービスを提供している。
【００９０】
最初に、ソースセル1508は、対応するコンポーネントキャリア上で通信媒体132を介してデータおよび制御シグナリングを交換するためのアクセス端末120のPCellとして機能し、ターゲットセル1506は、異なる対応するコンポーネントキャリア上で通信媒体132を介してデータシグナリングを交換するためのアクセス端末120に関するSCellとして機能する。しかしながら、たとえば、負荷分散および/またはチャネル選択決定のために、アクセスポイント110は、アクセス端末120がそのSCellをそのPCellとして再構成することを望む場合があり、その逆も同様である。
【００９１】
示すように、ソースセル1508から(既存の)ターゲットセル1506へのPCell切替えは、コアネットワークに対する最小シグナリングおよび透過性で達成され得る。具体的には、アクセスポイント110は、ソースセル1508を経由してそのPCell/SCell宛先を再構成するようにアクセス端末120に命令するハンドオーバコマンド1512をアクセス端末120に送ることができ、それに応じて、アクセス端末120は、ターゲットセル1506を経由してアクセスポイント110にハンドオーバ確認メッセージ1514を送ることができる。モビリティ管理エンティティ(MME)などに対する何の通知も、何のパケット転送も必要ではない。
【００９２】
図16は、接続されたモードアクセス端末のPCellをアクセス端末の既存のコンポーネントキャリアのうちの1つから新しいコンポーネントキャリアに切り替えるための例示的なPCell追加手順を示すシグナリング流れ図である。この例では、アクセスポイント110は、やはり2個のセル、すなわち、第1の(ソース)セル1608および第2の(ブリッジ)セル1606を経由してアクセス端末120にサービスを提供している。アクセスポイント110は、第3の(ターゲット)セル1610上でサービスを提供することもできる。
【００９３】
最初に、ソースセル1608は、対応するコンポーネントキャリア上で通信媒体132を介してデータおよび制御シグナリングを交換するためのアクセス端末120のPCellとして機能し、ブリッジセル1606は、異なる対応するコンポーネントキャリア上で通信媒体132を介してデータシグナリングを交換するためのアクセス端末120に関するSCellとして機能する。しかしながら、負荷分散および/またはチャネル選択決定のため、アクセスポイント110は、アクセス端末120が、依然として異なる対応するコンポーネントキャリア上で通信媒体132を介してデータおよび制御シグナリングを交換するためにそのPCellをターゲットセル1610に切り替えることを望む場合がある。
【００９４】
示すように、ソースセル1608から(新しい)ターゲットセル1610へのPCell切替えは、やはりコアネットワークに対する透過性で達成され得る。MMEなどに対する何の通知も、何のパケット転送も必要ではない。しかしながら、アクセス端末120は限定数の無線チェーン(この例では2個)を有するため、アクセスポイント110は、(新しい)ターゲットセル1610を追加しながら、そのSCellを中間「ブリッジ」PCell(ブリッジセル1606)として利用することができる。
【００９５】
具体的には、図15のPCellスワップ手順におけるように、アクセスポイント110は、ソースセル1608を経由してそのPCell/SCell宛先を再構成するようにアクセス端末に命令するハンドオーバコマンド1612をアクセス端末120に送ることができ、それに応じて、アクセス端末120は、ブリッジセル1606を経由してアクセスポイント110にハンドオーバ確認メッセージ1614を送ることができる。一方、ソースセル1608は無効にされてよく、ターゲットセル1610が追加されてよい(ブロック1616)。利用可能になると、アクセスポイント110は、ブリッジセル1606を経由してそのPCellとしてターゲットセル1610を構成するようにアクセス端末に命令する,ハンドオーバコマンド1618をアクセス端末120に送ることができ、それに応じて、アクセス端末120は、ターゲットセル1610を経由してハンドオーバ確認メッセージ1620をアクセスポイント110に送ることができる。
【００９６】
図15のPCellスワップ手順および図16のPCell追加手順の両方をトリガする負荷分散およびチャネル選択決定は異なる方法で実行され得る。たとえば、負荷分散状態は、しきい値を上回る、異なるセルとそれらの対応するコンポーネントキャリアとの間のトラフィック不均衡に基づいて決定され得る。別の例として、チャネル選択状態は、しきい値を上回る、異なるセルとそれらの対応するコンポーネントキャリアとの間の信号品質不均衡に基づいて決定され得る。いずれかの条件が満たされるとき、再構成がトリガされ得る。
【００９７】
図15および図16の例では、PCellが再構成されているアクセス端末は接続モードのアクセス端末である。アイドルモードのアクセス端末の場合、アクティブ接続は存在せず、アクセスポイント110は、そのようなアクセス端末が実際にその特定のカバレージエリア内にあるかどうかを確実に知ることができない。したがって、PCellのスワップまたは追加を実行するようにアイドルモードのアクセス端末に明示的に命令するのではなく、アクセスポイント110は、代わりに、いくつかの他のコンポーネントキャリアに有利なように、再選択手順にバイアスをかけるために、セル再選択優先順位を(たとえば、優先順位およびセル固有のオフセットを設定するためのSIB-5シグナリングを経由して)変更することができる。さらに、アクセスポイント110は、探索プロセスを促進し、他の既存のコンポーネントキャリアを優先順序付けするために、(たとえば、cellBarred=barredおよびintraFreqReselection=notallowedを設定することによってSIB-1シグナリングを経由して)現在のコンポーネントキャリアを除外することができる。LTEでは、たとえば、セル選択/再選択のために、300秒の間、除外されたセルにアクセスすることはできない。アイドルモードのアクセス端末にPCellの変更について知らせることは、そのようなアクセス端末が正しいページングチャネルを監視することなどに役立ち得る。
【００９８】
図17は、上で説明した技法による例示的な通信方法を示す流れ図である。方法1700は、たとえば、アクセスポイント(たとえば、図1に示したアクセスポイント110)によって実行され得る。
【００９９】
示すように、アクセスポイントは、第1のRATおよび対応する無線フレーム構造に従って、通信媒体を介して通信することができる(ブロック1710)。通信は、たとえば、1次RATトランシーバ140などのようなトランシーバによって実行され得る。無線フレーム構造の各無線フレームは、第1の信号を送信するための第1のサブフレームおよび第2の信号を送信するための第2のサブフレームを定義することができる。DTX通信パターンの少なくとも1つのアクティブ期間中にアクセスポイントは、1つまたは複数の無線フレームの第1のサブフレーム中で第1の信号を、第2のサブフレーム中で第2の信号を送信することができる(ブロック1720)。DTX通信パターンの少なくとも1つの非アクティブ期間中にアクセスポイントは、1つまたは複数の無線フレームの第1のサブフレーム中で第1の信号を送信し、第2のサブフレーム中で第2の信号を削除することができる(ブロック1730)。送信は、たとえば、処理システム116およびメモリ118などの指示で1次RATトランシーバ140など、プロセッサおよびメモリの指示でトランシーバによって実行され得る。
【０１００】
上でより詳細に論じたように、第1の信号は、たとえば、タイミング同期信号、システム獲得信号、またはそれらの組合せを含み得る。一例として、第1の信号は、PSS信号、CRS信号、MIB信号、SSS信号のうちの少なくとも1つ、またはそれらの何らかの組合せを含み得る。さらなる例として、第2の信号は、PCFICH信号、PHICH信号、PDCCH信号、PDSCH信号、PBCH信号のうちの少なくとも1つ、またはそれらの何らかの組合せを含み得る。
【０１０１】
上でより詳細に論じたように、第1のサブフレームは、たとえば、LTEサブフレーム0(SF0)またはサブフレーム1(SF1)を含み得るが、第2のサブフレームは、たとえば、LTEサブフレーム2(SF2)、サブフレーム3(SF3)、サブフレーム4(SF4)、サブフレーム5(SF5)、サブフレーム6(SF6)、サブフレーム7(SF7)、サブフレーム8(SF8)、またはサブフレーム9(SF9)を含み得る。
【０１０２】
いくつかの設計では、アクセスポイントは、(たとえば、DTX通信パターンの周期性と比較して)第2の信号の周期性要件に基づいて、省略するために第2のサブフレームを選択することができる。
【０１０３】
いくつかの設計では、第2のサブフレームは、アクセス端末がさらにDTX通信パターンの少なくとも1つの非アクティブ期間中に1つまたは複数の無線フレームの第2のサブフレーム中で第3の信号を送信し、第2のサブフレーム中で第2の信号を削除して、第3の信号を送信するようにさらに定義される。
【０１０４】
必要に応じて、アクセスポイントはまた、第2のRATに従ってシグナリングのための通信媒体を監視し、監視された第2のRATシグナリングに基づいて、DTX通信パターンの1つまたは複数のパラメータを設定することができる。
【０１０５】
図18は、上で説明した技法による別の例示的な通信方法を示す流れ図である。方法1800は、たとえば、アクセスポイント(たとえば、図1に示したアクセスポイント110)によって実行され得る。
【０１０６】
示すように、方法1800は、アクセスポイントが第1のRAT(たとえば、Wi-Fi)を使用して媒体を経由して信号を受信するステップを含み得る(ブロック1810)。たとえば、通信媒体は、Wi-FiデバイスおよびLTEデバイスによって共有される無認可高周波帯域であってよい。アクセスポイントは、次いで、受信された信号に基づいて、第1のRATと関連付けられる通信媒体の利用率を特定することができる(ブロック1820)。通信媒体の利用率は、通信媒体上の干渉の量の表示を与え得る。
【０１０７】
それに応じて、アクセスポイントは、DTX通信パターンに従って通信媒体を介した送信のアクティブ期間と非アクティブ期間との間でPCell上の第2のRAT(たとえば、LTE)の動作を循環させることができる(ブロック1830)。循環は、通信媒体の特定されたリソースの利用率に多様に基づき得る。
【０１０８】
上でより詳細に論じたように、アクセスポイントは、次いで、DTX通信パターンの1つまたは複数のパラメータを1つまたは複数のアクセス端末に送信することができる(ブロック1840)。
【０１０９】
送信は、MIB信号を経由してDTX通信パターンのサイクル持続時間を伝えることを含み得る。たとえば、サイクル持続時間は、MIB信号の1つまたは複数の予約済みビット内で符号化され得る。
【０１１０】
送信はまた、DCIメッセージを経由してDTX通信パターンのデューティサイクルを伝えることを含み得る。たとえば、デューティサイクルは、フォーマット1C DCIメッセージの1つまたは複数のビット内で符号化され得る。
【０１１１】
図19は、上で説明した技法による別の例示的な通信方法を示す流れ図である。方法1900は、たとえば、アクセス端末(たとえば、図1に示したアクセス端末120)によって実行され得る。
【０１１２】
示すように、方法1900は、アクセス端末がアクセスポイントからシステム同期情報を受信するステップ(ブロック1910)と、システム同期情報に基づいて、アクセスポイントのMIB信号を復号するステップ(ブロック1920)とを含み得る。復号されたMIB信号に基づいて、アクセス端末は、DTX通信パターンに従って送信のアクティブ期間と非アクティブ期間との間のPCell上のアクセスポイントによる動作の循環に関するサイクルタイミング情報を決定し(ブロック1930)、サイクルタイミング情報に基づいて設定された受信ウィンドウに従ってSIBシグナリングを監視する(ブロック1940)ことができる。
【０１１３】
図20は、上で説明した技法による別の例示的な通信方法を示す流れ図である。方法2000は、たとえば、アクセスポイント(たとえば、図1に示したアクセスポイント110)によって実行され得る。
【０１１４】
示すように、方法2000は、アクセスポイントが第1のRAT(たとえば、Wi-Fi)を使用して媒体を経由して信号を受信するステップを含み得る(ブロック2010)。たとえば、通信媒体は、Wi-FiデバイスおよびLTEデバイスによって共有される無認可高周波帯域であってよい。アクセスポイントは、次いで、受信された信号に基づいて、第1のRATと関連付けられる通信媒体の利用率を特定することができる(ブロック2020)。通信媒体の利用率は、通信媒体上の干渉の量の表示を与え得る。
【０１１５】
それに応じて、アクセスポイントは、DTX通信パターンに従って通信媒体を介した送信のアクティブ期間と非アクティブ期間との間でPCell上の第2のRAT(たとえば、LTE)の動作を循環させることができる(ブロック2030)。循環は、通信媒体の特定されたリソースの利用率に多様に基づき得る。
【０１１６】
上でより詳細に論じたように、アクセスポイントは、次いで、DTX通信パターンに基づいて、アクセス端末ページングをDTX通信パターンの少なくとも1つのアクティブ期間と整合させるための1つまたは複数のページングパラメータを設定し(ブロック2040)、1つまたは複数のページングパラメータに従って、ページングメッセージをアクセス端末に送信する(ブロック2050)ことができる。
【０１１７】
図21は、上で説明した技法による別の例示的な通信方法を示す流れ図である。方法2100は、たとえば、アクセスポイント(たとえば、図1に示したアクセスポイント110)によって実行され得る。
【０１１８】
示すように、方法2100は、アクセスポイントが第1のRAT(たとえば、Wi-Fi)を使用して媒体を経由して信号を受信するステップを含み得る(ブロック2110)。たとえば、通信媒体は、Wi-FiデバイスおよびLTEデバイスによって共有される無認可高周波帯域であってよい。アクセスポイントは、次いで、受信された信号に基づいて、第1のRATと関連付けられる通信媒体の利用率を特定することができる(ブロック2120)。通信媒体の利用率は、通信媒体上の干渉の量の表示を与え得る。
【０１１９】
それに応じて、アクセスポイントは、DTX通信パターンに従って通信媒体を介した送信のアクティブ期間と非アクティブ期間との間でPCell上の第2のRAT(たとえば、LTE)の動作を循環させることができる(ブロック2130)。循環は、通信媒体の特定されたリソースの利用率に多様に基づき得る。
【０１２０】
上でより詳細に論じたように、アクセスポイントは、次いで、DTX通信パターンに基づいて、ランダムアクセス機会をDTX通信パターンの少なくとも1つのアクティブ期間と整合させるための1つまたは複数のパラメータを設定し(ブロック2140)、ランダムアクセス手順において使用するために、1つまたは複数のランダムアクセスパラメータをアクセス端末に送信する(ブロック2150)ことができる。
【０１２１】
いくつかの設計では、方法2100は、アクセスポイントが、ランダムアクセス手順を完了するために、DTX通信パターンの少なくとも1つのアクティブ期間を延長するステップをさらに含み得る。
【０１２２】
図22は、上で説明した技法による別の例示的な通信方法を示す流れ図である。方法2200は、たとえば、アクセス端末(たとえば、図1に示したアクセス端末120)によって実行され得る。
【０１２３】
示すように、方法2200は、アクセス端末が、DTX通信パターンに従って送信のアクティブ期間と非アクティブ期間との間のPCell上のアクセスポイントによる動作の循環に関するサイクルタイミング情報を決定するステップ(ブロック2210)と、DTX通信パターンの少なくとも1つのアクティブ期間中にDTX通信パターンの少なくとも1つの非アクティブ期間の指定されたサブフレーム中、またはそれらの組合せで、PCellに対応する第1の無認可周波数(たとえば、周波数内監視)および/また第2の無認可周波数(たとえば、周波数間監視)上のシグナリング(たとえば、PSS、SSS、および/またはCRS)を監視するステップ(ブロック2220)とを含み得る。アクセス端末は、次いで、DTX通信パターンの少なくとも1つの非アクティブ期間の他のサブフレーム中で第1の無認可周波数および/または第2の無認可周波数上のシグナリングの監視を無効化することができる(ブロック2230)。
【０１２４】
図23は、上で説明した技法による別の例示的な通信方法を示す流れ図である。方法2300は、たとえば、アクセス端末(たとえば、図1に示したアクセス端末120)によって実行され得る。
【０１２５】
示すように、アクセス端末は、第1のRATに従って通信媒体を介した通信のアクティブ期間および非アクティブ期間を定義するDTX通信パターンのアクティブ期間中に1つまたは複数のパケットの再送信要求を受信することができる(ブロック2310)。受信は、たとえば、1次RATトランシーバ140などのようなトランシーバによって実行され得る。アクセス端末は、1つまたは複数のパケットを再送信するための同期アップリンクHARQ再送信スケジュールのための再送信機会のセットを決定することができる(ブロック2320)。決定は、たとえば、処理システム116およびメモリ118などのようなプロセッサおよびメモリによって実行され得る。アクセス端末は、次いで、DTX通信パターンに基づいて、再送信機会すべてに満たないサブセットを介して1つまたは複数のパケットを再送信することができる(ブロック2330)。再送信は、たとえば、1次RATトランシーバ140などのようなトランシーバによって実行され得る。
【０１２６】
上でより詳細に論じたように、再送信(ブロック2330)は、たとえば、DTX通信パターンの非アクティブ期間のうちの1つの中でスケジュールされた再送信機会中に1つまたは複数のパケットを再送することを控えるステップを含み得る(ブロック2330)。一例として、再送信は、DTX通信パターンの第1のアクティブ期間と重複する第1のスケジュールされた再送信機会中に1つまたは複数のパケットの第1の部分を再送信するステップと、DTX通信パターンの非アクティブ期間と少なくとも部分的に重複する第2のスケジュールされた再送信機会中に1つまたは複数のパケットの第2の部分の再送信を控えるステップと、DTX通信パターンの第2のアクティブ期間と重複する第3のスケジュールされた再送信機会中に1つまたは複数のパケットの第2の部分を再送信するステップとを含み得る。
【０１２７】
いくつかの設計では、アクセス端末は、DTX通信パターンのアクティブ期間および非アクティブ期間のうちの1つまたは複数のロケーションに関するタイミング情報を決定することができ、再送信(ブロック2330)はタイミング情報に基づく。
【０１２８】
いくつかの設計では、アクセス端末は、再送信機会のセットを特定するスケジューリング通信を受信することができる。スケジューリング通知は、DTX通信パターンのアクティブ期間中に受信され得る。
【０１２９】
一例として、通信媒体は、この場合、無線周波数の無認可帯域の少なくとも一部を含んでよく、第1のRATは、Wi-Fi技術を含む第2のRATと通信媒体を共有するLTE技術を含み得る。
【０１３０】
図24は、上で説明した技法による別の例示的な通信方法を示す流れ図である。方法2400は、たとえば、アクセスポイント(たとえば、図1に示したアクセスポイント110)によって実行され得る。
【０１３１】
示すように、方法2400は、アクセスポイントが第1のRAT(たとえば、Wi-Fi)を使用して媒体を経由して信号を受信するステップを含み得る(ブロック2410)。たとえば、通信媒体は、Wi-FiデバイスおよびLTEデバイスによって共有される無認可高周波帯域であってよい。アクセスポイントは、次いで、受信された信号に基づいて、第1のRATと関連付けられる通信媒体の利用率を特定することができる(ブロック2420)。通信媒体の利用率は、通信媒体上の干渉の量の表示を与え得る。
【０１３２】
それに応じて、アクセスポイントは、DTX通信パターンに従って通信媒体を介した送信のアクティブ期間と非アクティブ期間との間でPCell上の第2のRAT(たとえば、LTE)の動作を循環させることができる(ブロック2430)。循環は、通信媒体の特定された利用率に多様に基づき得る。
【０１３３】
上でより詳細に論じたように、アクセスポイントは、次いで、DTX通信パターンに基づいて、DTX動作をDTX通信パターンの少なくとも1つのアクティブ期間と整合させるための1つまたは複数のDRXパラメータを設定し(ブロック2440)、DRX循環動作において使用するために、1つまたは複数のDRXパラメータを1つまたは複数のアクセス端末に送信する(ブロック2450)ことができる。1つまたは複数のアクセス端末は、たとえば、アクセス端末の第1のグループおよびアクセス端末の第2のグループを含んでよく、第1および第2のグループは、それらのグループをDTX通信パターンの最小アクティブ期間と整合させ、それらのグループをDTX通信パターンのサイクル内またはサイクル間でスタッガさせるために、それぞれのDRXパラメータを送信する。
【０１３４】
図25は、上で説明した技法による別の例示的な通信方法を示す流れ図である。方法2500は、たとえば、アクセスポイント(たとえば、図1に示したアクセスポイント110)によって実行され得る。
【０１３５】
示すように、方法2500は、アクセスポイントが第1のRAT(たとえば、Wi-Fi)を使用して媒体を経由して信号を受信するステップを含み得る(ブロック2510)。たとえば、通信媒体は、Wi-FiデバイスおよびLTEデバイスによって共有される無認可高周波帯域であってよい。アクセスポイントは、次いで、受信された信号に基づいて、第1のRATと関連付けられる通信媒体の利用率を特定することができる(ブロック2520)。通信媒体の利用率は、通信媒体上の干渉の量の表示を与え得る。
【０１３６】
それに応じて、アクセスポイントは、DTX通信パターンに従って通信媒体を介した送信のアクティブ期間と非アクティブ期間との間でPCell上の第2のRAT(たとえば、LTE)の動作を循環させることができる(ブロック2530)。循環は、通信媒体の特定されたリソースの利用率に多様に基づき得る。
【０１３７】
上でより詳細に論じたように、アクセスポイントは、次いで、第2のRATの負荷状態に基づいて、DTX通信パターンの少なくとも1つのアクティブ期間の一部で送信を機会主義的にデパワー(depower)することができる(ブロック2540)。方法2500は、いくつかの設計では、第2のRATの負荷状態に基づいて、DTX通信パターンの1つまたは複数の循環パラメータを機会主義的に設定するステップをさらに含み得る。
【０１３８】
図26は、上で説明した技法による別の例示的な通信方法を示す流れ図である。方法2600は、たとえば、アクセスポイント(たとえば、図1に示したアクセスポイント110)によって実行され得る。
【０１３９】
示すように、アクセスポイントは、第1のコンポーネントキャリア上でアクセスポイントによって提供されるPCellを経由して通信媒体を介してデータおよび制御シグナリングを交換することができる(ブロック2610)。アクセスポイントは、第2のコンポーネントキャリア上でアクセスポイントによって提供されるSCellを経由して通信媒体を介してデータシグナリングを交換することができる(ブロック2620)。交換は、たとえば、1次RATトランシーバ140などのようなトランシーバによって実行され得る。アクセスポイントは、負荷分散状態またはチャネル選択状態に基づいて、1つまたは複数のアクセス端末に関して、SCellをPCellとして、PCellをSCellとして再構成することができる(ブロック2630)。再構成は、たとえば、処理システム116および118などの指示で1次RATトランシーバ140など、プロセッサおよびメモリの指示でトランシーバによって実行され得る。
【０１４０】
上で詳細に論じたように、再構成(ブロック2630)は、たとえば、第1のコンポーネントキャリアを経由してハンドオーバコマンドを送るステップと、第2のコンポーネントキャリアを経由してハンドオーバ確認を受信するステップと、PCell動作を第2のコンポーネントキャリアに切り替えるステップとを含み得る。代替として、再構成(ブロック2630)は、たとえば、第1のコンポーネントキャリアを経由してハンドオーバコマンドを送り、第2のコンポーネントキャリアを経由してハンドオーバ確認を受信し、PCell動作を第2のコンポーネントキャリアに切り替え、第2のコンポーネントキャリアを経由してハンドオーバコマンドを送り、第3のコンポーネントキャリアを経由してハンドオーバ確認を受信し、PCell動作を第3のコンポーネントキャリアに切り替えることによって、再構成されたPCellを第3のコンポーネントキャリアに切り替えるステップをさらに含み得る。この例では、構成(ブロック2630)は、たとえば、ハンドオーバ確認を受信することに応じて、第1のコンポーネントキャリアを無効にするステップと、第1のコンポーネントキャリアが無効であることに応じて、第3のコンポーネントキャリアを占有するステップとをさらに含み得る。
【０１４１】
いくつかの設計では、アクセスポイントは、しきい値を上回る、第1のコンポーネントキャリアと1つまたは複数の他のコンポーネントキャリアとの間のトラフィック不均衡に基づいて負荷分散状態を決定し、その決定に応じて、再構成をトリガすることができる。他の設計では、アクセスポイントは、しきい値を上回る、第1のコンポーネントキャリアと1つまたは複数の他のコンポーネントキャリアとの間の信号品質不均衡に基づいてチャネル選択状態を決定し、その決定に応じて、再構成をトリガすることができる。
【０１４２】
いくつかの設計では、アクセスポイントは、ターゲットPCellの有利になるようにセル再選択にバイアスをかけるために、1つまたは複数のセル再選択パラメータを調整し、ターゲットPCellのセル再選択をトリガするために、1つまたは複数の調整されたセル再選択パラメータをアイドルモードのアクセス端末にシグナリングすることができる。
【０１４３】
便宜上、アクセスポイント110およびアクセス端末120は、本明細書で説明する様々な例に従って構成され得る様々な構成要素を含むものとして、図1に示される。しかしながら、示したブロックは様々な方法で実装され得ることを諒解されよう。いくつかの実装形態では、図1の構成要素は、たとえば、1つまたは複数のプロセッサおよび/または(1つまたは複数のプロセッサを含み得る)1つまたは複数のASICなど、1つまたは複数の回路において実装され得る。ここで、各回路は、この機能を提供する回路によって使用される情報または実行可能コードを記憶するための少なくとも1つのメモリ構成要素を使用すること、および/または組み込むことができる。
【０１４４】
図27〜図36は、一連の相互に関係する機能モジュールとして表されるアクセスポイント110および/またはアクセス端末120を実装するための装置の代替図を提供する。
【０１４５】
図27は、一連の相互に関係する機能モジュールとして表される例示的なアクセスポイント装置2700を示す。通信するためのモジュール2702は、少なくともいくつかの態様では、たとえば、本明細書で論じるような通信デバイスまたはそれの構成要素(たとえば、通信デバイス112など)に対応し得る。送信するためのモジュール2704は、少なくともいくつかの態様では、たとえば、本明細書で論じるような通信コントローラまたはそれの構成要素(たとえば、通信コントローラ114など)に対応し得る。送信するためのモジュール2706は、少なくともいくつかの態様では、たとえば、本明細書で論じるような通信コントローラまたはそれの構成要素(たとえば、通信コントローラ114など)に対応し得る。
【０１４６】
図28は、一連の相互に関係する機能モジュールとして表される例示的なアクセスポイント装置2800を示す。受信するためのモジュール2802は、少なくともいくつかの態様では、たとえば、本明細書で論じるような通信デバイスまたはそれの構成要素(たとえば、通信デバイス112など)に対応し得る。特定するためのモジュール2804は、少なくともいくつかの態様では、たとえば、本明細書で論じるような通信コントローラまたはそれの構成要素(たとえば、通信コントローラ114など)に対応し得る。循環させるためのモジュール2806は、少なくともいくつかの態様では、たとえば、本明細書で論じるような通信コントローラまたはそれの構成要素(たとえば、通信コントローラ114など)に対応し得る。送信するためのモジュール2808は、少なくともいくつかの態様では、たとえば、本明細書で論じるような通信デバイスまたはそれの構成要素(たとえば、通信デバイス112など)に対応し得る。
【０１４７】
図29は、一連の相互に関係する機能モジュールとして表される例示的なアクセス端末装置2900を示す。受信するためのモジュール2902は、少なくともいくつかの態様では、たとえば、本明細書で論じるような通信デバイスまたはそれの構成要素(たとえば、通信デバイス122など)に対応し得る。復号するためのモジュール2904は、少なくともいくつかの態様では、たとえば、本明細書で論じるような通信コントローラまたはそれの構成要素(たとえば、通信コントローラ124など)に対応し得る。決定するためのモジュール2906は、少なくともいくつかの態様では、たとえば、本明細書で論じるような通信コントローラまたはそれの構成要素(たとえば、通信コントローラ124など)に対応し得る。監視するためのモジュール2908は、少なくともいくつかの態様では、たとえば、本明細書で論じるような通信デバイスまたはそれの構成要素(たとえば、通信デバイス122など)に対応し得る。
【０１４８】
図30は、一連の相互に関係する機能モジュールとして表される例示的なアクセスポイント装置3000を示す。受信するためのモジュール3002は、少なくともいくつかの態様では、たとえば、本明細書で論じるような通信デバイスまたはそれの構成要素(たとえば、通信デバイス112など)に対応し得る。特定するためのモジュール3004は、少なくともいくつかの態様では、たとえば、本明細書で論じるような通信コントローラまたはそれの構成要素(たとえば、通信コントローラ114など)に対応し得る。循環させるためのモジュール3006は、少なくともいくつかの態様では、たとえば、本明細書で論じるような通信コントローラまたはそれの構成要素(たとえば、通信コントローラ114など)に対応し得る。設定するためのモジュール3008は、少なくともいくつかの態様では、たとえば、本明細書で論じるような通信コントローラまたはそれの構成要素(たとえば、通信コントローラ114など)に対応し得る。送信するためのモジュール3010は、少なくともいくつかの態様では、たとえば、本明細書で論じるような通信デバイスまたはそれの構成要素(たとえば、通信デバイス112など)に対応し得る。
【０１４９】
図31は、一連の相互に関係する機能モジュールとして表される例示的なアクセスポイント装置3100を示す。受信するためのモジュール3102は、少なくともいくつかの態様では、たとえば、本明細書で論じるような通信デバイスまたはそれの構成要素(たとえば、通信デバイス112など)に対応し得る。送信するためのモジュール3104は、少なくともいくつかの態様では、たとえば、本明細書で論じるような通信デバイスまたはそれの構成要素(たとえば、通信デバイス112など)に対応し得る。循環させるためのモジュール3106は、少なくともいくつかの態様では、たとえば、本明細書で論じるような通信コントローラまたはそれの構成要素(たとえば、通信コントローラ114など)に対応し得る。設定するためのモジュール3108は、少なくともいくつかの態様では、たとえば、本明細書で論じるような通信コントローラまたはそれの構成要素(たとえば、通信コントローラ114など)に対応し得る。送信するためのモジュール3110は、少なくともいくつかの態様では、たとえば、本明細書で論じるような通信デバイスまたはそれの構成要素(たとえば、通信デバイス112など)に対応し得る。
【０１５０】
図32は、一連の相互に関係する機能モジュールとして表される例示的なアクセス端末装置3200を示す。決定するためのモジュール3202は、少なくともいくつかの態様では、たとえば、本明細書で論じるような通信コントローラまたはそれの構成要素(たとえば、通信コントローラ124など)に対応し得る。監視するためのモジュール3204は、少なくともいくつかの態様では、たとえば、本明細書で論じるような通信デバイスまたはそれの構成要素(たとえば、通信デバイス122など)に対応し得る。無効化するためのモジュール3206は、少なくともいくつかの態様では、たとえば、本明細書で論じるような通信コントローラまたはそれの構成要素(たとえば、通信コントローラ124など)に対応し得る。
【０１５１】
図33は、一連の相互に関係する機能モジュールとして表される例示的なアクセス端末装置3300を示す。受信するためのモジュール3302は、少なくともいくつかの態様では、たとえば、本明細書で論じるような通信デバイスまたはそれの構成要素(たとえば、通信デバイス122など)に対応し得る。再送信するためのモジュール3304は、少なくともいくつかの態様では、たとえば、本明細書で論じるような通信コントローラまたはそれの構成要素(たとえば、通信コントローラ124など)に対応し得る。再送信するためのモジュール3306は、少なくともいくつかの態様では、たとえば、本明細書で論じるような通信コントローラまたはそれの構成要素(たとえば、通信コントローラ124など)に対応し得る。
【０１５２】
図34は、一連の相互に関係する機能モジュールとして表される例示的なアクセスポイント装置3400を示す。受信するためのモジュール3402は、少なくともいくつかの態様では、たとえば、本明細書で論じるような通信デバイスまたはそれの構成要素(たとえば、通信デバイス112など)に対応し得る。特定するためのモジュール3404は、少なくともいくつかの態様では、たとえば、本明細書で論じるような通信コントローラまたはそれの構成要素(たとえば、通信コントローラ114など)に対応し得る。循環させるためのモジュール3406は、少なくともいくつかの態様では、たとえば、本明細書で論じるような通信コントローラまたはそれの構成要素(たとえば、通信コントローラ114など)に対応し得る。設定するためのモジュール3408は、少なくともいくつかの態様では、たとえば、本明細書で論じるような通信コントローラまたはそれの構成要素(たとえば、通信コントローラ114など)に対応し得る。送信するためのモジュール3410は、少なくともいくつかの態様では、たとえば、本明細書で論じるような通信デバイスまたはそれの構成要素(たとえば、通信デバイス112など)に対応し得る。
【０１５３】
図35は、一連の相互に関係する機能モジュールとして表される例示的なアクセスポイント装置3500を示す。受信するためのモジュール3502は、少なくともいくつかの態様では、たとえば、本明細書で論じるような通信デバイスまたはそれの構成要素(たとえば、通信デバイス112など)に対応し得る。特定するためのモジュール3504は、少なくともいくつかの態様では、たとえば、本明細書で論じるような通信コントローラまたはそれの構成要素(たとえば、通信コントローラ114など)に対応し得る。循環させるためのモジュール3506は、少なくともいくつかの態様では、たとえば、本明細書で論じるような通信コントローラまたはそれの構成要素(たとえば、通信コントローラ114など)に対応し得る。機会主義的にデパワーするためのモジュール3508は、少なくともいくつかの態様では、たとえば、本明細書で論じるような通信コントローラまたはそれの構成要素(たとえば、通信コントローラ114など)に対応し得る。
【０１５４】
図36は、一連の相互に関係する機能モジュールとして表される例示的なアクセス端末装置3600を示す。交換するためのモジュール3602は、少なくともいくつかの態様では、たとえば、本明細書で論じるような通信デバイスまたはそれの構成要素(たとえば、通信デバイス122など)に対応し得る。交換するためのモジュール3604は、少なくともいくつかの態様では、たとえば、本明細書で論じるような通信デバイスまたはそれの構成要素(たとえば、通信デバイス122など)に対応し得る。再構成するためのモジュール3606は、少なくともいくつかの態様では、たとえば、本明細書で論じるような通信コントローラまたはそれの構成要素(たとえば、通信コントローラ124など)に対応し得る。
【０１５５】
図27〜図36のモジュールの機能は、本明細書の教示と矛盾しない様々な方法で実装されてもよい。いくつかの設計では、これらのモジュールの機能は、1つまたは複数の電気構成要素として実装されてもよい。いくつかの設計では、これらのブロックの機能は、1つまたは複数のプロセッサ構成要素を含む処理システムとして実装されてもよい。いくつかの設計では、これらのモジュールの機能は、たとえば、1つまたは複数の集積回路(たとえば、ASIC)の少なくとも一部分を使用して実装されてもよい。本明細書で論じたように、集積回路は、プロセッサ、ソフトウェア、他の関連の構成要素、またはそれらの何らかの組合せを含んでよい。したがって、異なるモジュールの機能は、たとえば、集積回路の異なるサブセットとして実装されてもよく、ソフトウェアモジュールのセットの異なるサブセットとして実装されてもよく、またはその組合せとして実装されてもよい。また、(たとえば、集積回路の、および/またはソフトウェアモジュールのセットの)所与のサブセットが、2つ以上のモジュールに関する機能の少なくとも一部分を実現する場合があることを諒解されよう。
【０１５６】
加えて、図27〜図36によって表される構成要素および機能、ならびに本明細書で説明する他の構成要素および機能は、任意の適切な手段を使用して実装され得る。そのような手段はまた、少なくとも部分的に、本明細書で教示する対応する構造を使用して実装され得る。たとえば、図27〜図36の「ためのモジュール」構成要素とともに上記で説明した構成要素はまた、同様に指定された「ための手段」機能に対応することができる。したがって、いくつかの態様では、そのような手段のうちの1つまたは複数は、プロセッサ構成要素、集積回路、または本明細書で教示する他の適切な構造のうちの1つまたは複数を使用して実装されてもよい。
【０１５７】
本明細書において「第1の」、「第2の」などの呼称を用いる要素へのいかなる参照も、一般的には、それらの要素の量または順序を限定するものではないことを理解されたい。むしろ、これらの指示は、本明細書では、2つ以上の要素または要素の例同士を区別する好都合な方法として使用されることがある。したがって、第1の要素および第2の要素の参照は、そこで2つの要素しか利用できないこと、または何らかの形で第1の要素が第2の要素に先行しなければならないことを意味しない。また、特に明記しない限り、要素のセットは、1つまたは複数の要素を含んでもよい。さらに、本説明または特許請求の範囲において用いられる「A、B、またはCのうちの少なくとも1つ」または「A、B、またはCのうちの1つまたは複数」または「A、B、およびCからなる群のうちの少なくとも1つ」という形の用語は、「AまたはBまたはCまたはこれらの要素の任意の組合せ」を意味する。たとえば、この用語は、A、またはB、またはC、またはAおよびB、またはAおよびC、またはAおよびBおよびC、または2A、または2B、または2Cなどを含むことができる。
【０１５８】
上の記述および説明に鑑みて、本明細書で開示した態様に関連して説明した様々な例示的な論理ブロック、モジュール、回路、およびアルゴリズムステップは、電子ハードウェア、コンピュータソフトウェア、または両方の組合せとして実装され得ることを当業者は諒解されよう。ハードウェアとソフトウェアのこの互換性を明確に示すために、様々な例示的な構成要素、ブロック、モジュール、回路、およびステップを、上記ではそれらの機能に関して一般的に説明してきた。そのような機能性がハードウェアとして実装されるか、ソフトウェアとして実装されるかは、特定の用途およびシステム全体に課せられる設計制約によって決まる。当業者は、説明した機能を具体的な適用例ごとに様々な方法で実装してよいが、そのような実装形態の決定は、本開示の範囲からの逸脱を引き起こすものと解釈されるべきではない。
【０１５９】
したがって、たとえば、装置または装置の任意の構成要素は、本明細書で教示する機能を提供するように構成され得る(または動作可能にされ得る、または、適合され得る)ことを諒解されよう。これは、たとえば、機能を提供するように装置または構成要素を製造(たとえば、作製)することによって、機能を提供するように装置または構成要素をプログラミングすることによって、または何らかの他の適切な実装技法の使用を介して達成され得る。一例として、集積回路は、必要な機能を提供するために作製され得る。別の例として、集積回路は、必要な機能をサポートするために作製され、次いで、(たとえば、プログラミングを介して)必要な機能を提供するように構成され得る。また別の例として、プロセッサ回路は、必要な機能を提供するためにコードを実行することができる。
【０１６０】
さらに、本明細書で開示した態様に関連して説明した方法、シーケンス、および/またはアルゴリズムは、直接ハードウェアで、プロセッサによって実行されるソフトウェアモジュールで、またはこの2つの組合せで具現化され得る。ソフトウェアモジュールは、ランダムアクセスメモリ(RAM)、フラッシュメモリ、読取り専用メモリ(ROM)、消去可能プログラマブル読取り専用メモリ(EPROM)、電気的消去可能プログラマブル読取り専用メモリ(EEPROM)、レジスタ、ハードディスク、リムーバブルディスク、CD-ROM、または一時的もしくは非一時的な当技術分野において既知の任意の他の形の記憶媒体内に存在する場合がある。例示的な記憶媒体は、プロセッサが記憶媒体から情報を読み取り、記憶媒体に情報を書き込むことができるように、プロセッサに結合される。代替案では、記憶媒体は、プロセッサ(たとえば、キャッシュメモリ)に一体とされてもよい。
【０１６１】
したがって、たとえば、本開示のいくつかの態様は、通信のための方法を具現化する、一時的または非一時的なコンピュータ可読媒体を含み得ることも諒解されよう。
【０１６２】
上記の開示は様々な例示的な態様を示すが、添付の特許請求の範囲によって定義される本開示の範囲から逸脱することなく、示した例に対して様々な変更および修正がなされ得ることに留意されたい。本開示は、具体的に示された例のみに限定されることは意図されない。たとえば、別段述べられない限り、本明細書で説明した本開示の態様に従った方法クレームの機能、ステップ、および/またはアクションは、特定の順序で実行される必要はない。さらに、いくつかの態様は、単数形で説明または請求されていることがあるが、単数形への限定が明示的に述べられていない限り、複数形が企図される。
【符号の説明】
【０１６３】
110  アクセスポイント
112  通信デバイス
114  通信コントローラ
116  処理システム
118  メモリ構成要素
120  アクセス端末
122  通信デバイス
124  通信コントローラ
126  処理システム
128  メモリ構成要素
130  ワイヤレスリンク
132  通信媒体
140  1次RATトランシーバ
142  2次RATトランシーバ
144  媒体利用アナライザ
146  1次セル(PCell)マネージャ
148  2次セル(SCell)マネージャ
150  1次RATトランシーバ
152  2次RATトランシーバ
154  媒体利用アナライザ
156  1次セル(PCell)マネージャ
158  2次セル(Cell)マネージャ
200  通信パターン、DTX通信パターン
204  アクティブ期間
206  非アクティブ期間
208  送信(TX)サイクル(TDTX)
300  DTX通信パターン
310  ABRF
400  MIB
402  ダウンリンクチャネル帯域幅情報
404  物理ハイブリッドARQインジケータチャネル(PHICH)構成情報
406  SFNインデックスまたは他の識別子
408  未使用(確保されている)ビット
410  DTXサイクル持続時間(TDTX)
500  DCIメッセージ
612  信号
614  信号
616  信号
618  信号
620  信号
622  信号
1002  第1のスケジュールされた再送信機会(R-TXOP)
1004  第2のスケジュールされた再送信機会
1006  第3のスケジュールされた再送信機会
1506  第2の(ターゲット)セル、ターゲットセル
1508  第1の(ソース)セル、ソースセル
1512  ハンドオーバコマンド
1514  ハンドオーバ確認メッセージ
1606  第2の(ブリッジ)セル
1608  第1の(ソース)セル
1610  第3の(ターゲット)セル、ターゲットセル
1700  方法
1800  方法
1900  方法
2000  方法
2100  方法
2200  方法
2300  方法
2400  方法
2500  方法
2600  方法
2700  アクセスポイント装置
2702  通信するためのモジュール
2704  送信するためのモジュール
2706  送信するためのモジュール
2800  アクセスポイント装置
2802  受信するためのモジュール
2804  特定するためのモジュール
2806  循環させるためのモジュール
2808  送信するためのモジュール
2900  アクセス端末装置
2902  受信するためのモジュール
2904  復号するためのモジュール
2906  決定するためのモジュール
2908  監視するためのモジュール
3000  アクセスポイント装置
3002  受信するためのモジュール
3004  特定するためのモジュール
3006  循環させるためのモジュール
3008  設定するためのモジュール
3010  送信するためのモジュール
3100  アクセスポイント装置
3102  受信するためのモジュール
3104  送信するためのモジュール
3106  循環させるためのモジュール
3108  設定するためのモジュール
3110  送信するためのモジュール
3200  アクセス端末装置
3202  決定するためのモジュール
3204  監視するためのモジュール
3206  無効化するためのモジュール
3300  アクセス端末装置
3302  受信するためのモジュール
3304  再送信するためのモジュール
3306  再送信するためのモジュール
3400  アクセスポイント装置
3402  受信するためのモジュール
3404  特定するためのモジュール
3406  循環させるためのモジュール
3408  設定するためのモジュール
3410  送信するためのモジュール
3500  アクセスポイント装置
3502  受信するためのモジュール
3504  特定するためのモジュール
3506  循環させるためのモジュール
3508  機会主義的にデパワーするためのモジュール
3600  アクセス端末装置
3602  交換するためのモジュール
3604  交換するためのモジュール
3606  再構成するためのモジュール
【図１】
0006617147.tif 000002
【図２】
0006617147.tif 000003
【図３】
0006617147.tif 000004
【図４】
0006617147.tif 000005
【図５】
0006617147.tif 000006
【図６】
0006617147.tif 000007
【図７】
0006617147.tif 000008
【図８】
0006617147.tif 000009
【図９】
0006617147.tif 000010
【図１０】
0006617147.tif 000011
【図１１】
0006617147.tif 000012
【図１２】
0006617147.tif 000013
【図１３】
0006617147.tif 000014
【図１４】
0006617147.tif 000015
【図１５】
0006617147.tif 000016
【図１６】
0006617147.tif 000017
【図１７】
0006617147.tif 000018
【図１８】
0006617147.tif 000019
【図１９】
0006617147.tif 000020
【図２０】
0006617147.tif 000021
【図２１】
0006617147.tif 000022
【図２２】
0006617147.tif 000023
【図２３】
0006617147.tif 000024
【図２４】
0006617147.tif 000025
【図２５】
0006617147.tif 000026
【図２６】
0006617147.tif 000027
【図２７】
0006617147.tif 000028
【図２８】
0006617147.tif 000029
【図２９】
0006617147.tif 000030
【図３０】
0006617147.tif 000031
【図３１】
0006617147.tif 000032
【図３２】
0006617147.tif 000033
【図３３】
0006617147.tif 000034
【図３４】
0006617147.tif 000035
【図３５】
0006617147.tif 000036
【図３６】
0006617147.tif 000037